(57)【特許請求の範囲】
【請求項１】
ユーザ機器（ＵＥ）におけるワイヤレス通信のための方法であって、
非直交チャネルのためのサブバンドの複数のサブキャリアに対応するサブキャリアチャネル情報を決定することと、
前記サブキャリアチャネル情報に基づいて、前記サブバンドのための１つまたは複数の有効チャネルフィードバック行列を決定することと、ここにおいて、前記１つまたは複数の有効チャネルフィードバック行列を前記決定することが、送信ストラテジーの対応するセットについて評価されたチャネル品質関数のセットを使用して前記１つまたは複数の有効チャネルフィードバック行列の各々を計算することを備え、前記送信ストラテジーの対応するセットの各々が、前記非直交チャネルのための複数の送信ストラテジーのうちの１つまたは複数の送信ストラテジーを含み、前記１つまたは複数の有効チャネルフィードバック行列のうちの有効チャネルフィードバック行列を計算することが、前記複数のサブキャリアにわたって評価されたシングルユーザ、シングルレイヤチャネル品質関数から第１の値を決定することと、前記複数のサブキャリアにわたって評価されたマルチユーザ、マルチレイヤチャネル品質関数に基づいて第２の値を決定することとを備える、
前記複数の送信ストラテジーにわたる前記ＵＥのためのチャネル品質推定のためのチャネルフィードバック情報を報告することと、前記チャネルフィードバック情報が、前記１つまたは複数の有効チャネルフィードバック行列を表す
を備える、方法。
【請求項２】
前記１つまたは複数の有効チャネルフィードバック行列を決定することが、
前記１つまたは複数の有効チャネルフィードバック行列の各々のための前記チャネル品質関数のセットを識別すること
を備える、請求項１に記載の方法。
【請求項３】
前記チャネル品質関数のセットを識別することが、前記１つまたは複数の有効チャネルフィードバック行列の前記各々のための前記送信ストラテジーの対応するセットに少なくとも部分的に基づく、請求項２に記載の方法。
【請求項４】
前記チャネル品質関数のセットを前記識別することが、
前記送信ストラテジーの対応するセットにわたる最大容量誤差、または前記送信ストラテジーの対応するセットにわたる平均容量誤差のうちの少なくとも１つを最適化するように、前記チャネル品質関数のセットを選択すること
を備える、請求項３に記載の方法。
【請求項５】
前記チャネル品質関数のセットを選択することが、前記送信ストラテジーの対応するセットのうちの送信ストラテジーの選択の可能性に少なくとも部分的に基づく、請求項４に記載の方法。
【請求項６】
前記複数の送信ストラテジーが、それぞれのプリコーディング行列に従って、前記送信ストラテジーの対応するセットのためにグループ化される、請求項１に記載の方法。
【請求項７】
前記複数の送信ストラテジーのサブセットが前記ＵＥとの通信のために使用されるべきではないという指示を送信すること
をさらに備える、請求項１に記載の方法。
【請求項８】
ユーザ機器（ＵＥ）におけるワイヤレス通信のための方法であって、
非直交チャネルのためのサブバンドの複数のサブキャリアに対応するサブキャリアチャネル情報を決定することと、
前記サブキャリアチャネル情報に基づいて、前記サブバンドのための１つまたは複数の有効チャネルフィードバック行列を決定することと、ここにおいて、前記１つまたは複数の有効チャネルフィードバック行列を前記決定することが、送信ストラテジーの対応するセットについて評価されたチャネル品質関数のセットを使用して前記１つまたは複数の有効チャネルフィードバック行列の各々を計算すること備え、前記送信ストラテジーの対応するセットの各々が、前記非直交チャネルのための複数の送信ストラテジーのうちの１つまたは複数の送信ストラテジーを含む、
前記送信ストラテジーの対応するセットの各送信ストラテジーについて、前記１つまたは複数の有効チャネルフィードバック行列のうちの対応するものから生じるチャネル品質誤差の量を決定することと、
前記送信ストラテジーのサブセットにおける各送信ストラテジーのための前記チャネル品質誤差の量が、しきい値よりも大きいと決定することと、
前記複数の送信ストラテジーのサブセットが前記ＵＥとの通信のために使用されるべきではないという指示を送信することと、
前記複数の送信ストラテジーにわたる前記ＵＥのためのチャネル品質推定のためのチャネルフィードバック情報を報告することと、前記チャネルフィードバック情報が、前記１つまたは複数の有効チャネルフィードバック行列を表す
を備える、方法。
【請求項９】
前記サブキャリアチャネル情報が、前記複数のサブキャリアのうちのサブキャリアのためのチャネル行列と雑音共分散行列とに基づいて決定される、請求項１に記載の方法。
【請求項１０】
前記複数の送信ストラテジーが、少なくとも１つのシングルユーザ送信ストラテジーと、少なくとも１つのマルチユーザ送信ストラテジーとを備える、請求項１に記載の方法。
【請求項１１】
前記複数の送信ストラテジーが、非直交レイヤを備える少なくとも１つのマルチレイヤ送信ストラテジーを備える、請求項１に記載の方法。
【請求項１２】
基地局におけるワイヤレス通信のための方法であって、
非直交チャネルのための複数のユーザ機器（ＵＥ）からのチャネルフィードバック情報を受信することと、ここにおいて、各ＵＥからの前記チャネルフィードバック情報が、１つまたは複数のサブバンドの複数のサブキャリアのための１つまたは複数の有効チャネルフィードバック行列を表すフィードバックを備え、前記１つまたは複数の有効チャネルフィードバック行列の各々が、送信ストラテジーの対応するセットについて評価されたチャネル品質関数のセットを使用して計算され、前記送信ストラテジーの対応するセットの各々が、前記非直交チャネルのための複数の送信ストラテジーのうちの１つまたは複数の送信ストラテジーを含み、前記１つまたは複数の有効チャネルフィードバック行列のうちの有効チャネルフィードバック行列が、前記複数のサブキャリアにわたって評価されたシングルユーザ、シングルレイヤチャネル品質関数に基づいて決定された第１の値と、前記複数のサブキャリアにわたって評価されたマルチユーザ、マルチレイヤチャネル品質関数に基づいて決定された第２の値とを備える、
前記チャネルフィードバック情報に少なくとも部分的に基づいて、前記非直交チャネルを介したダウンリンク送信のために、前記複数のＵＥの少なくともサブセットのための、前記複数の送信ストラテジーのためのチャネル品質を推定することと、
前記推定されたチャネル品質に基づいて、前記ダウンリンク送信のためのそれぞれの送信ストラテジーを決定することと、
前記それぞれの送信ストラテジーに従って、前記非直交チャネルを介して、前記複数のＵＥの前記少なくとも前記サブセットにダウンリンク送信を送信することと
を備える、方法。
【請求項１３】
前記複数のＵＥのための前記それぞれの送信ストラテジーを前記決定することが、
前記非直交チャネルのリソースの同じセットのための複数のＵＥペアリングを決定すること
を備える、請求項１２に記載の方法。
【請求項１４】
前記複数の送信ストラテジーを、前記送信ストラテジーの対応するセットに区分することと、
前記複数のＵＥに、前記送信ストラテジーの対応するセットの指示を送信することと、ここにおいて、前記指示が、前記チャネルフィードバック情報を受信するより前に送信される
をさらに備える、請求項１２に記載の方法。
【請求項１５】
前記複数の送信ストラテジーが、少なくとも１つのシングルユーザ送信ストラテジーと、少なくとも１つのマルチユーザ送信ストラテジーとを備える、請求項１２に記載の方法。
【請求項１６】
前記複数の送信ストラテジーが、非直交レイヤを備える少なくとも１つのマルチレイヤ送信ストラテジーを備える、請求項１２に記載の方法。
【請求項１７】
ユーザ機器（ＵＥ）におけるワイヤレス通信のための装置であって、
プロセッサと、
前記プロセッサと電気通信しているメモリと、
前記メモリ中に記憶された命令と
を備え、前記命令が、
非直交チャネルのためのサブバンドの複数のサブキャリアに対応するサブキャリアチャネル情報を決定することと、
前記サブキャリアチャネル情報に基づいて、前記サブバンドのための１つまたは複数の有効チャネルフィードバック行列を決定することと、ここにおいて、前記１つまたは複数の有効チャネルフィードバック行列を前記決定することが、送信ストラテジーの対応するセットについて評価されたチャネル品質関数のセットを使用して前記１つまたは複数の有効チャネルフィードバック行列の各々を計算することを備え、前記送信ストラテジーの対応するセットの各々が、前記非直交チャネルのための複数の送信ストラテジーのうちの１つまたは複数の送信ストラテジーを含み、前記１つまたは複数の有効チャネルフィードバック行列のうちの有効チャネルフィードバック行列を計算することが、前記複数のサブキャリアにわたって評価されたシングルユーザ、シングルレイヤチャネル品質関数に基づいて第１の値を決定することと、前記複数のサブキャリアにわたって評価されたマルチユーザ、マルチレイヤチャネル品質関数に基づいて第２の値を決定することとを備える、
前記複数の送信ストラテジーにわたる前記ＵＥのためのチャネル品質推定のためのチャネルフィードバック情報を報告することと、前記チャネルフィードバック情報が、前記１つまたは複数の有効チャネルフィードバック行列を表す
を行うために、前記プロセッサによって実行可能である、装置。
【請求項１８】
前記命令が、
前記１つまたは複数の有効チャネルフィードバック行列の各々のための前記チャネル品質関数のセットを識別すること
を行うために、前記プロセッサによってさらに実行可能である、請求項１７に記載の装置。
【請求項１９】
前記チャネル品質関数のセットを識別することが、前記１つまたは複数の有効チャネルフィードバック行列の各々のための前記送信ストラテジーの対応するセットに少なくとも部分的に基づく、請求項１８に記載の装置。
【請求項２０】
前記命令が、
前記送信ストラテジーの対応するセットにわたる最大容量誤差、または前記送信ストラテジーの対応するセットにわたる平均容量誤差のうちの少なくとも１つを最適化するように、前記チャネル品質関数のセットを選択すること
を行うために、前記プロセッサによってさらに実行可能である、請求項１９に記載の装置。
【請求項２１】
前記チャネル品質関数のセットを選択することが、前記送信ストラテジーの対応するセットのうちの送信ストラテジーの選択の可能性に少なくとも部分的に基づく、請求項２０に記載の装置。
【請求項２２】
前記複数の送信ストラテジーが、それぞれのプリコーディング行列に従って、前記送信ストラテジーの対応するセットのためにグループ化される、請求項１７に記載の装置。
【請求項２３】
前記命令が、
前記複数の送信ストラテジーのサブセットが前記ＵＥとの通信のために使用されるべきではないという指示を送信すること
を行うために、前記プロセッサによってさらに実行可能である、請求項１７に記載の装置。
【請求項２４】
ユーザ機器（ＵＥ）におけるワイヤレス通信のための装置であって、
プロセッサと、
前記プロセッサと電気通信しているメモリと、
前記メモリ中に記憶された命令と
を備え、前記命令が、
非直交チャネルのためのサブバンドの複数のサブキャリアに対応するサブキャリアチャネル情報を決定することと、
前記サブキャリアチャネル情報に基づいて、前記サブバンドのための１つまたは複数の有効チャネルフィードバック行列を決定することと、ここにおいて、前記１つまたは複数の有効チャネルフィードバック行列を前記決定することが、送信ストラテジーの対応するセットについて評価されたチャネル品質関数のセットを使用して前記１つまたは複数の有効チャネルフィードバック行列の各々を計算することを備え、前記送信ストラテジーの対応するセットの各々が、前記非直交チャネルのための複数の送信ストラテジーのうちの１つまたは複数の送信ストラテジーを含む、
前記送信ストラテジーの対応するセットの各送信ストラテジーについて、前記１つまたは複数の有効チャネルフィードバック行列のうちの対応するものから生じるチャネル品質誤差の量を決定することと、
前記送信ストラテジーのサブセットにおける各送信ストラテジーのための前記チャネル品質誤差の量が、しきい値よりも大きいと決定することと、
前記複数の送信ストラテジーのサブセットが前記ＵＥとの通信のために使用されるべきではないという指示を送信することと、
前記複数の送信ストラテジーにわたる前記ＵＥのためのチャネル品質推定のためのチャネルフィードバック情報を報告することと、前記チャネルフィードバック情報が、前記１つまたは複数の有効チャネルフィードバック行列を表す
を行うために、前記プロセッサによって実行可能である、装置。
【請求項２５】
前記サブキャリアチャネル情報が、前記複数のサブキャリアのうちのサブキャリアのためのチャネル行列と雑音共分散行列とに基づいて決定される、請求項１７に記載の装置。
【請求項２６】
前記複数の送信ストラテジーが、少なくとも１つのシングルユーザ送信ストラテジーと、少なくとも１つのマルチユーザ送信ストラテジーとを備える、請求項１７に記載の装置。
【請求項２７】
前記複数の送信ストラテジーが、非直交レイヤを備える少なくとも１つのマルチレイヤ送信ストラテジーを備える、請求項１７に記載の装置。
【請求項２８】
基地局におけるワイヤレス通信のための装置であって、
プロセッサと、
前記プロセッサと電気通信しているメモリと、
前記メモリ中に記憶された命令と
を備え、前記命令が、
非直交チャネルのための複数のユーザ機器（ＵＥ）からのチャネルフィードバック情報を受信することと、ここにおいて、各ＵＥからの前記チャネルフィードバック情報が、１つまたは複数のサブバンドの複数のサブキャリアのための１つまたは複数の有効チャネルフィードバック行列を表すフィードバックを備え、前記１つまたは複数の有効チャネルフィードバック行列の各々が、送信ストラテジーの対応するセットについて評価されたチャネル品質関数のセットを使用して計算され、前記送信ストラテジーの対応するセットの各々が、前記非直交チャネルのための複数の送信ストラテジーのうちの１つまたは複数の送信ストラテジーを含み、前記１つまたは複数の有効チャネルフィードバック行列のうちの有効チャネルフィードバック行列が、前記複数のサブキャリアにわたって評価されたシングルユーザ、シングルレイヤチャネル品質関数に基づいて決定された第１の値を備え、前記複数のサブキャリアにわたって評価されたマルチユーザ、マルチレイヤチャネル品質関数に基づいて決定された第２の値を備える、
前記チャネルフィードバック情報に少なくとも部分的に基づいて、前記非直交チャネルを介したダウンリンク送信のために、前記複数のＵＥの少なくともサブセットのための、前記複数の送信ストラテジーのためのチャネル品質を推定することと、
前記推定されたチャネル品質に基づいて、前記ダウンリンク送信のためのそれぞれの送信ストラテジーを決定することと、
前記それぞれの送信ストラテジーに従って、前記非直交チャネルを介して、前記複数のＵＥの前記少なくとも前記サブセットにダウンリンク送信を送信することと
を行うために、前記プロセッサによって実行可能である、装置。
【請求項２９】
前記複数のＵＥのための前記それぞれの送信ストラテジーを決定することが、
前記非直交チャネルのリソースの同じセットのための複数のＵＥペアリングを決定すること
を備える、請求項２８に記載の装置。
【請求項３０】
前記命令が、
前記複数の送信ストラテジーを、前記送信ストラテジーの対応するセットに区分することと、
前記複数のＵＥに、前記送信ストラテジーの対応するセットの指示を送信することと、ここにおいて、前記指示が、前記チャネルフィードバック情報を受信するより前に送信される
を行うために、前記プロセッサによってさらに実行可能である、請求項２８に記載の装置。
【発明の詳細な説明】
【技術分野】
【０００１】
相互参照
[0001]本特許出願は、各々が本出願の譲受人に譲渡された、２０１５年３月２７日に出願された、「Ｃｈａｎｎｅｌ  Ｆｅｅｄｂａｃｋ  Ｄｅｓｉｇｎ  ｆｏｒ  Ｆｒｅｑｕｅｎｃｙ  Ｓｅｌｅｃｔｉｖｅ  Ｃｈａｎｎｅｌｓ」と題する、Ｂｕｄｉａｎｕらによる米国仮特許出願第６２／１３９，４２５号、および２０１６年３月１１日に出願された、「Ｃｈａｎｎｅｌ  Ｆｅｅｄｂａｃｋ  Ｄｅｓｉｇｎ  ｆｏｒ  Ｆｒｅｑｕｅｎｃｙ  Ｓｅｌｅｃｔｉｖｅ  Ｃｈａｎｎｅｌｓ」と題する、Ｂｕｄｉａｎｕらによる米国仮特許出願第１５／０６７，９３２号の優先権を主張する。
【０００２】
[0002]本開示は、たとえば、ワイヤレス通信システムに関し、より詳細には、ワイヤレス通信システムにおいて非直交および／または周波数選択性チャネルのためのチャネルフィードバック設計およびスケジューリングに関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]通信システムは、増加される信頼性または容量のためにマルチアンテナ技法を利用し得る。マルチアンテナ技法は、送信ダイバーシティ技法と多入力多出力（ＭＩＭＯ）技法とを含む。ＮT個の送信アンテナとＮR個の受信アンテナとを採用するＭＩＭＯシステムは、シングルアンテナ技法よりもｍｉｎ｛ＮT，ＮR｝の容量増加を実現し得る。いくつかの状況で使用され得る別の手法は、複数のユーザへの、同じリソースを介した、非直交ダウンリンク信号の送信を含む。しかしながら、多元接続システムでは、シングルユーザＭＩＭＯ（ＳＵ−ＭＩＭＯ）、マルチユーザＭＩＭＯ（ＭＵ−ＭＩＭＯ）、および／または非直交多元接続（ＮＯＭＡ）を含む技法において可能な変形形態は、複数のＵＥへの複数のダウンリンク送信のためのスケジューリングを最適化することにおける課題をもたらし得る。
【発明の概要】
【０００６】
[0006]説明される特徴は、一般に、ワイヤレス通信システムにおける周波数選択性チャネルのためのチャネルフィードバック設計およびスケジューリングのための１つまたは複数の改善されたシステム、方法、および／または装置に関する。シングルユーザＭＩＭＯ（ＳＵ−ＭＩＭＯ）の場合、１つの送信ストラテジーおよび１つのサブバンドについて、ＵＥは、サブバンドにおけるトーンの平均容量の関数であり得る、有効信号対雑音比（ＳＮＲ）に基づくチャネル品質情報（ＣＱＩ）を決定および報告し得る。複数の送信ストラテジーが利用可能であるときでも、ＵＥは、送信ストラテジーのうちの１つを選択し、選択された送信ストラテジーと対応するＣＱＩとを報告し得る。しかしながら、マルチユーザ送信ストラテジー（たとえば、ＭＵ−ＭＩＭＯ、非直交多元接続（ＮＯＭＡ）など）の場合、基地局は、複数のユーザ（すなわち、複数のＵＥ）を考慮に入れるメトリックを最適化するために、送信ストラテジーを選択し得る。基地局の選択を助けるために、ＵＥは、すべての利用可能な送信ストラテジーのためのＣＱＩを報告し得、各ＣＱＩ報告は、関係するトーンにわたる平均として計算される。しかしながら、（たとえば、複数のサブバンドのための）ＣＱＩ報告の数は、かなりのものであり、利用可能なフィードバック容量を消費し（または超え）得る。本開示で説明されるシステム、方法、および／または装置は、チャネルフィードバック要件を低減し、ＵＥチャネルフィードバック決定の複雑さを低減し、場合によっては、チャネルフィードバック情報の決定／報告、および、１つまたは複数の非直交チャネルを介した複数のＵＥのためのダウンリンク送信のスケジューリングの、全体の複雑さ（ＵＥ側＋基地局側）を低減し得る。
【０００７】
[0007]ＵＥにおけるワイヤレス通信のための方法が説明され、この方法は、非直交チャネルのためのサブバンドの複数のサブキャリアに対応するサブキャリアチャネル情報を決定することと、サブキャリアチャネル情報に基づいて、サブバンドのための１つまたは複数の有効チャネルフィードバック行列（effective channel feedback matrices）を決定することと、複数の送信ストラテジーにわたるＵＥのためのチャネル品質推定のためのチャネルフィードバック情報を報告することとを含む。１つまたは複数の有効チャネルフィードバック行列の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。チャネルフィードバック情報は、１つまたは複数の有効チャネルフィードバック行列を表し得る。
【０００８】
[0008]ＵＥにおけるワイヤレス通信のための装置が説明され、この装置は、非直交チャネルのためのサブバンドの複数のサブキャリアに対応するサブキャリアチャネル情報を決定するための手段と、サブキャリアチャネル情報に基づいて、サブバンドのための１つまたは複数の有効チャネルフィードバック行列を決定するための手段と、複数の送信ストラテジーにわたるＵＥのためのチャネル品質推定のためのチャネルフィードバック情報を報告するための手段とを含む。１つまたは複数の有効チャネルフィードバック行列の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。チャネルフィードバック情報は、１つまたは複数の有効チャネルフィードバック行列を表し得る。
【０００９】
[0009]ＵＥにおけるワイヤレス通信のための別の装置が説明され、この装置は、プロセッサと、プロセッサと電子通信しているメモリと、メモリ中に記憶された命令とを含む。命令は、非直交チャネルのためのサブバンドの複数のサブキャリアに対応するサブキャリアチャネル情報を決定することと、サブキャリアチャネル情報に基づいて、サブバンドのための１つまたは複数の有効チャネルフィードバック行列を決定することと、複数の送信ストラテジーにわたるＵＥのためのチャネル品質推定のためのチャネルフィードバック情報を報告することとを行うために、プロセッサによって実行可能であり得る。１つまたは複数の有効チャネルフィードバック行列の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。チャネルフィードバック情報は、１つまたは複数の有効チャネルフィードバック行列を表し得る。
【００１０】
[0010]ＵＥにおけるワイヤレス通信のためのコンピュータ実行可能コードを記憶する非一時的コンピュータ可読媒体が説明され、このコードは、非直交チャネルのためのサブバンドの複数のサブキャリアに対応するサブキャリアチャネル情報を決定することと、サブキャリアチャネル情報に基づいて、サブバンドのための１つまたは複数の有効チャネルフィードバック行列を決定することと、複数の送信ストラテジーにわたるＵＥのためのチャネル品質推定のためのチャネルフィードバック情報を報告することとを行うために、プロセッサによって実行可能である。１つまたは複数の有効チャネルフィードバック行列の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。チャネルフィードバック情報は、１つまたは複数の有効チャネルフィードバック行列を表し得る。
【００１１】
[0011]いくつかの例では、この方法は、１つまたは複数の有効チャネルフィードバック行列の各々のためのチャネル品質関数のセットを識別することをさらに含み得る。いくつかの例では、チャネル品質関数のセットが、１つまたは複数の有効チャネルフィードバック行列の各々のための送信ストラテジーの対応するセットに少なくとも部分的に基づいて識別され得る。いくつかの例では、この方法は、送信ストラテジーの対応するセットにわたる最大容量誤差、または送信ストラテジーの対応するセットにわたる平均容量誤差のうちの少なくとも１つを最適化するように、チャネル品質関数のセットを選択することをさらに含み得る。いくつかの例では、チャネル品質関数を選択することは、送信ストラテジーのセットのうちの送信ストラテジーの選択の可能性（likelihood）に少なくとも部分的に基づき得る。上記で説明された装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１２】
[0012]上記で説明された方法のいくつかの例では、複数の送信ストラテジーが、それぞれのプリコーディング行列に従って、送信ストラテジーの対応するセットのためにグループ化される。いくつかの例では、この方法は、複数の送信ストラテジーのサブセットがＵＥとの通信のために使用されるべきではないという指示を送信することをさらに含み得る。いくつかの例では、この方法は、送信ストラテジーの対応するセットの各送信ストラテジーについて、１つまたは複数の有効チャネルフィードバック行列のうちの対応するものから生じるチャネル品質誤差の量を決定することと、送信ストラテジーのサブセットにおける各送信ストラテジーのためのチャネル品質誤差の量が、しきい値よりも大きいと決定することとをさらに含み得る。上記で説明された装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１３】
[0013]上記で説明された方法のいくつかの例では、サブキャリアチャネル情報が、複数のサブキャリアのうちのサブキャリアのためのチャネル行列と雑音共分散行列とに基づいて決定され得る。上記で説明された方法のいくつかの例では、複数の送信ストラテジーは、少なくとも１つのシングルユーザ送信ストラテジーと、少なくとも１つのマルチユーザ送信ストラテジーとを含み得る。いくつかの例では、複数の送信ストラテジーは、非直交レイヤを含む少なくとも１つのマルチレイヤ送信ストラテジーを含み得る。上記で説明された装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１４】
[0014]基地局におけるワイヤレス通信のための方法が説明され、この方法は、非直交チャネルのための複数のＵＥからのチャネルフィードバック情報を受信することを含み、ただし、各ＵＥからのチャネルフィードバック情報が、１つまたは複数のサブバンドの複数のサブキャリアのための１つまたは複数の有効チャネルフィードバック行列を表すフィードバックを含み、ただし、１つまたは複数の有効チャネルフィードバック行列の各々が、非直交チャネルのための複数の送信ストラテジーのうちの送信ストラテジーのセットに対応する。この方法はまた、チャネルフィードバック情報に少なくとも部分的に基づいて、非直交チャネルを介したダウンリンク送信のために、複数のＵＥの少なくともサブセットのための、複数の送信ストラテジーのためのチャネル品質を推定することと、推定されたチャネル品質に基づいて、ダウンリンク送信のためのそれぞれの送信ストラテジーを決定することと、それぞれの送信ストラテジーに従って、非直交チャネルを介して、複数のＵＥの少なくともサブセットにダウンリンク送信を送信することとを含み得る。
【００１５】
[0015]基地局におけるワイヤレス通信のための装置が説明され、この装置は、非直交チャネルのための複数のＵＥからのチャネルフィードバック情報を受信するための手段を含み、ただし、各ＵＥからのチャネルフィードバック情報が、１つまたは複数のサブバンドの複数のサブキャリアのための１つまたは複数の有効チャネルフィードバック行列を表すフィードバックを含み、ただし、１つまたは複数の有効チャネルフィードバック行列の各々が、非直交チャネルのための複数の送信ストラテジーのうちの送信ストラテジーのセットに対応する。この方法はまた、チャネルフィードバック情報に少なくとも部分的に基づいて、非直交チャネルを介したダウンリンク送信のために、複数のＵＥの少なくともサブセットのための、複数の送信ストラテジーのためのチャネル品質を推定するための手段と、推定されたチャネル品質に基づいて、ダウンリンク送信のためのそれぞれの送信ストラテジーを決定するための手段と、それぞれの送信ストラテジーに従って、非直交チャネルを介して、複数のＵＥの少なくともサブセットにダウンリンク送信を送信するための手段とを含み得る。
【００１６】
[0016]基地局におけるワイヤレス通信のための別の装置が説明され、この装置は、プロセッサと、プロセッサと電子通信しているメモリと、メモリ中に記憶された命令とを含む。この命令は、非直交チャネルのための複数のＵＥからのチャネルフィードバック情報を受信することを行うために、プロセッサによって実行可能であり得、ただし、各ＵＥからのチャネルフィードバック情報が、１つまたは複数のサブバンドの複数のサブキャリアのための１つまたは複数の有効チャネルフィードバック行列を表すフィードバックを含み、ただし、１つまたは複数の有効チャネルフィードバック行列の各々が、非直交チャネルのための複数の送信ストラテジーのうちの送信ストラテジーのセットに対応する。この命令はまた、チャネルフィードバック情報に少なくとも部分的に基づいて、非直交チャネルを介したダウンリンク送信のために、複数のＵＥの少なくともサブセットのための、複数の送信ストラテジーのためのチャネル品質を推定することと、推定されたチャネル品質に基づいて、ダウンリンク送信のためのそれぞれの送信ストラテジーを決定することと、それぞれの送信ストラテジーに従って、非直交チャネルを介して、複数のＵＥの少なくともサブセットにダウンリンク送信を送信することとを行うために、プロセッサによって実行可能であり得る。
【００１７】
[0017]基地局におけるワイヤレス通信のためのコンピュータ実行可能コードを記憶する非一時的コンピュータ可読媒体が説明され、このコードは、非直交チャネルのための複数のＵＥからのチャネルフィードバック情報を受信することを行うために、プロセッサによって実行可能であり、ただし、各ＵＥからのチャネルフィードバック情報が、１つまたは複数のサブバンドの複数のサブキャリアのための１つまたは複数の有効チャネルフィードバック行列を表すフィードバックを含み、ただし、１つまたは複数の有効チャネルフィードバック行列の各々が、非直交チャネルのための複数の送信ストラテジーのうちの送信ストラテジーのセットに対応する。このコードはまた、チャネルフィードバック情報に少なくとも部分的に基づいて、非直交チャネルを介したダウンリンク送信のために、複数のＵＥの少なくともサブセットのための、複数の送信ストラテジーのためのチャネル品質を推定することと、推定されたチャネル品質に基づいて、ダウンリンク送信のためのそれぞれの送信ストラテジーを決定することと、それぞれの送信ストラテジーに従って、非直交チャネルを介して、複数のＵＥの少なくともサブセットにダウンリンク送信を送信することとを行うために、プロセッサによって実行可能であり得る。
【００１８】
[0018]上記で説明された方法のいくつかの例では、複数のＵＥのためのそれぞれの送信ストラテジーを決定することは、非直交チャネルのリソースの同じセットのための複数のＵＥペアリング（pairing）を決定することを含み得る。いくつかの例では、１つまたは複数の有効チャネルフィードバック行列のうちの所与の有効チャネルフィードバック行列を表す、チャネルフィードバック情報は、有効個別レイヤチャネル品質の少なくとも１つのインジケータと、有効組合せレイヤチャネル品質のインジケータとを含み得る。いくつかの例では、複数の送信ストラテジーは、２レイヤＭＩＭＯ環境のための送信ストラテジーを含み得、有効個別レイヤチャネル品質の少なくとも１つのインジケータは、第１のレイヤのための第１の有効シングルユーザチャネル品質と、第２のレイヤのための第２の有効シングルユーザチャネル品質とを含み得る。いくつかの例では、この方法は、複数の送信ストラテジーを、送信ストラテジーの１つまたは複数のセットに区分することと、複数のＵＥに、送信ストラテジーの１つまたは複数のセットの指示を送信することとをさらに含み得る。この指示は、チャネルフィードバック情報を受信するより前に送信され得る。上記で説明された装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００１９】
[0019]上記で説明された方法のいくつかの例では、複数の送信ストラテジーは、少なくとも１つのシングルユーザ送信ストラテジーと、少なくとも１つのマルチユーザ送信ストラテジーとを含み得る。いくつかの例では、複数の送信ストラテジーは、非直交レイヤを含む少なくとも１つのマルチレイヤ送信ストラテジーを含み得る。上記で説明された装置および／または非一時的コンピュータ可読媒体のいくつかの例は、これらの特徴を実行するための手段、これらの特徴を実行するためにプロセッサによって実行可能である命令、および／またはこれらの特徴を実行するためのコードを含み得る。
【００２０】
[0020]上記では、以下の発明を実施するための形態がよりよく理解され得るように、本開示による例の特徴および技術的利点がかなり広く概説された。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとよりよく理解されよう。図の各々は、例示および説明の目的でのみ与えられるものであり、特許請求の範囲の制限の定義として与えられるものではない。
【００２１】
[0021]本発明の本質および利点のさらなる理解は、以下の図面を参照することによって実現され得る。添付の図において、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルのみが本明細書において使用される場合、説明は、第２の参照ラベルにかかわらず、同じ第１の参照ラベルを有する同様の構成要素のうちのいずれか１つに適用可能である。
【図面の簡単な説明】
【００２２】
【図１】[0022]本開示の様々な態様による、ワイヤレス通信システムのブロック図。
【図２】[0023]本開示の様々な態様による、周波数選択性チャネルのための改善されたチャネルフィードバック設計が採用され得る、例示的なワイヤレス通信環境を示す図。
【図３】[0024]本開示の様々な態様による、周波数選択性チャネルを採用するＭＩＭＯシステムにおけるワイヤレス通信のための例示的なメッセージフローを示す図。
【図４】[0025]本開示の様々な態様による、２×２ＮＯＭＡ送信ストラテジーに従って行われるダウンリンク送信間のレイヤトポロジーの一例を示す図。
【図５】[0026]本開示の様々な態様による、ＭＩＭＯチャネルのために使用され得る例示的な送信ストラテジーを示す図。
【図６】[0027]本開示の様々な態様による、ＵＥにおけるワイヤレス通信のための方法のフロー図。
【図７】[0028]本開示の様々な態様による、基地局におけるワイヤレス通信のための方法のフロー図。
【図８】[0029]本開示の様々な態様による、ＵＥにおけるワイヤレス通信を管理するためのデバイスのブロック図。
【図９】[0030]本開示の様々な態様による、ＵＥにおけるワイヤレス通信のためのデバイスのブロック図。
【図１０】[0031]本開示の様々な態様によるＵＥのブロック図。
【図１１】[0032]本開示の様々な態様による、基地局におけるワイヤレス通信を管理するためのデバイスのブロック図。
【図１２】[0033]本開示の様々な態様による基地局のブロック図。
【図１３】[0034]本開示の様々な態様による、基地局とＵＥとを含むＭＩＭＯ通信システムのブロック図。
【発明を実施するための形態】
【００２３】
[0035]一般に、ワイヤレス通信システムにおける周波数選択性チャネルのためのチャネルフィードバック設計およびスケジューリングのための１つまたは複数の改善されたシステム、方法、および／または装置に関する技法が説明される。基地局が、直交または非直交送信技法をサポートし得る異なるチャネル状態を有する複数のＵＥにサービスする場合、ＵＥが様々な送信ストラテジーを使用して時間、周波数、および／または空間レイヤリソースを共有することができる可能な方法は多くなる。様々な技法を利用するために、複数のＵＥからのチャネルフィードバックは、基地局が多数の送信ストラテジーとサブバンドとにわたるチャネル品質を推定することを可能にするべきである。本明細書で説明されるものは、送信ストラテジーの範囲にわたるチャネル品質を推定するために使用され得る、１つまたは複数の有効チャネルフィードバック行列に基づく、フィードバックを採用する技法である。有効チャネルフィードバック行列は、フィードバックのための送信ストラテジーをグループ化することと、送信ストラテジーの各グループのためのチャネル品質関数を決定することとによって決定され得る。有効チャネルフィードバック行列は、チャネル品質関数に従って、サブキャリアチャネル情報（たとえば、各サブキャリアまたはサブバンドについて決定されたチャネルフィードバック行列など）を評価することによって決定され得る。サブキャリアチャネル情報は、非直交チャネルのためのチャネル行列と雑音共分散行列とを利用して決定され得る。
【００２４】
[0036]チャネル品質関数は、送信ストラテジーにわたる最大容量誤差および／または平均容量誤差を最適化することによって、送信ストラテジーの範囲にわたる誤差を最小限に抑えるように選定され得る。追加または代替として、チャネル品質関数は、どの送信ストラテジーが将来の通信のために基地局によって選定されることになるかの可能性に基づいて、選定され得る。場合によっては、有効チャネルフィードバック行列に対応する送信ストラテジーは、同じプリコーディング行列を使用し得る。場合によっては、送信ストラテジーは、シングルユーザ送信ストラテジーと、マルチユーザ送信ストラテジーとを含み得る。追加または代替として、送信ストラテジーは、マルチレイヤ（たとえば、直交または非直交レイヤ）送信ストラテジーを含み得る。ＵＥが、いくつかの送信ストラテジーが基地局との通信のために使用されるべきではないと決定する場合、ＵＥは、回避されるべき送信ストラテジーの基地局への指示を送信し得る。場合によっては、この決定は、各送信ストラテジーのためのチャネル品質誤差量を計算することと、使用されるべきではない送信ストラテジーについて、チャネル品質誤差量がしきい値を上回ると決定することとから生じ得る。いくつかの例では、チャネル品質誤差は、対応する送信ストラテジーのための平均ＳＮＲ誤差に基づき得る。
【００２５】
[0037]基地局は、非直交チャネルのための複数のＵＥからの１つまたは複数の有効チャネルフィードバック行列の成分の形態で、チャネルフィードバック情報を受信し得る。基地局は、その後、チャネルフィードバック情報に基づいて、様々な送信ストラテジーのためのチャネル品質を推定し得る。この推定に基づいて、次いで、基地局は、どの送信ストラテジーをＵＥとの将来の通信のために使用するべきかを決定し、その後、選定された送信ストラテジーに従って、非直交チャネルを介して、ＵＥのうちの少なくともいくつかにダウンリンク送信を送信し得る。場合によっては、基地局は、非直交チャネルの同じリソースのための複数のＵＥペアリングを決定することによって、どの送信ストラテジーを使用するべきかを決定し得る。場合によっては、基地局は、送信ストラテジーをグループに区分し、これらのグループの指示を複数のＵＥに送信し得る。複数のＵＥは、その後、有効チャネルフィードバック行列を決定することにおいて、これらのグループを使用し得る。
【００２６】
[0038]以下の説明は例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々な手順または構成要素を省略、置換、または追加し得る。たとえば、説明される方法は、説明される順序とは異なる順序で実行され得、様々なステップが追加、省略、または組み合わされ得る。また、いくつかの例に関して説明される特徴は、他の例では組み合わされ得る。
【００２７】
[0039]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを提供し得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２８】
[0040]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の適切な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２９】
[0041]いくつかの例では、ワイヤレス通信システム１００は、ＬＴＥ（登録商標）／ＬＴＥ−Ａネットワークであり得る。ＬＴＥ／ＬＴＥ−Ａネットワークでは、発展型ノードＢ（ｅＮＢ）という用語は、概して、基地局１０５を記述するために使用され得る。ワイヤレス通信システム１００は、異なるタイプのｅＮＢが様々な地理的領域にカバレージを与える異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、文脈に応じて、基地局、基地局に関連付けられたキャリア、またはキャリアもしくは基地局のカバレージエリア（たとえば、セクタなど）を記述するために使用され得る。
【００３０】
[0042]マクロセルは、概して、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じかまたは異なる（たとえば、認可、無認可などの）周波数帯域内で動作し得る低電力基地局であり得る。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３１】
[0043]ワイヤレス通信システム１００は、同期動作または非同期動作をサポートし得る。同期動作の場合、基地局は、同様のフレームタイミングを有し得、異なる基地局からの送信は、時間的にほぼ整合され得る。非同期動作の場合、基地局は、異なるフレームタイミングを有し得、異なる基地局からの送信は、時間的に整合されない場合がある。本明細書で説明される技法は、同期動作または非同期動作のいずれかのために使用され得る。
【００３２】
[0044]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを介して通信するためにパケットのセグメンテーションとリアセンブリとを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３３】
[0045]ＵＥ１１５は、ワイヤレス通信システム１００全体にわたって分散され得、各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３４】
[0046]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。各通信リンク１２５は、１つまたは複数のキャリアを含み得、ここで、各キャリアは、異なる周波数範囲にわたり、周波数範囲にわたるＵＬ、ＤＬ、またはＵＬとＤＬの両方の上で伝達される情報の変調のためのチャネル構造を定義し得る。たとえば、各キャリアは、１つまたは複数のフォーマッティングチャネル、１つまたは複数の制御チャネル、１つまたは複数のインジケータチャネル、１つまたは複数のデータチャネルなどを含み得る。各キャリアは、チャネル番号と動作帯域内のキャリア周波数との間の関係に基づいて、指定されたチャネル番号（たとえば、Ｅ−ＵＴＲＡ絶対無線周波数チャネル番号（ＥＡＲＦＣＮ：E-UTRA Absolute Radio Frequency Channel Number）など）を有し得る。
【００３５】
[0047]各キャリアは、一般にトーン、ビンなどとも呼ばれる、複数のサブキャリア（たとえば、直交サブキャリアなど）からなる波形信号であり得る。各サブキャリアは、情報（たとえば、基準信号、制御情報、オーバーヘッド情報、ユーザデータなど）で変調され得る。隣接するサブキャリア間の間隔は固定であり得、サブキャリアの総数（Ｋ）はキャリア帯域幅に依存し得る。たとえば、Ｋは、それぞれ、１．４、３、５、１０、１５、または２０メガヘルツ（ＭＨｚ）の（ガード帯域をもつ）対応するキャリア帯域幅に対して、１５キロヘルツ（ＫＨｚ）のサブキャリア間隔の場合、７２、１８０、３００、６００、９００、または１２００に等しくなり得る。キャリア帯域幅はまた、サブバンドに区分され得る。たとえば、サブバンドは１．０８ＭＨｚをカバーし得、キャリアは１つ、２つ、４つ、８つまたは１６個のサブバンドを有し得る。
【００３６】
[0048]ワイヤレス通信システム１００は、複数のセルまたはキャリア上での動作、すなわち、キャリアアグリゲーション（ＣＡ）またはマルチキャリア動作と呼ばれることがある機能をサポートし得る。「コンポーネントキャリア」（ＣＣ）という用語は、ＣＡ動作においてＵＥによって利用される複数のキャリアの各々を指すことがあり、システム帯域幅の他の部分（たとえば、他のキャリアなど）とは別個であり得る。ＣＡ動作では、ＵＥ１１５は、より大きい動作帯域幅、および、たとえば、より高いデータレートを与えるために、複数のダウンリンクおよび／またはアップリンクＣＣを同時に利用するように構成され得る。ＣＡ動作において使用されるＣＣは、任意の好適な帯域幅（たとえば、１．４、３、５、１０、１５、または２０メガヘルツ（ＭＨｚ）など）であり得、各個々のＣＣは、たとえば、ＬＴＥ規格のリリース８またはリリース９に基づいてシングルキャリアと同じ能力を与え得る。したがって、個々のＣＣは、レガシーＵＥ１１５（たとえば、ＬＴＥリリース８またはリリース９を実装するＵＥ１１５）との後方互換性があるが、ＣＡのために構成されたかまたはシングルキャリアモードにある他のＵＥ１１５（たとえば、リリース８／９後のＬＴＥバージョンを実装するＵＥ１１５）によっても利用され得る。代替的に、ＣＣは、他のＣＣと組み合わせて使用されるように構成され得、シングルキャリアモードをサポートするために使用されるいくつかのチャネル（たとえば、フォーマットまたは制御チャネルなど）を搬送しないことがある。ＣＡは、ＦＤＤコンポーネントキャリアとＴＤＤコンポーネントキャリアの両方とともに使用され得る。
【００３７】
[0049]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得るＭＩＭＯ技法を採用し得る。ＭＩＭＯ技法は、同じまたは異なるデータストリームが基地局１０５と単一のＵＥ１１５との間の複数のレイヤ上で通信される、ＳＵ−ＭＩＭＯ技法と、複数のストリームが空間的に区別可能なユーザに送信されるかまたはそれらから受信され得る、ＭＵ−ＭＩＭＯとを含む。ＭＵ−ＭＩＭＯは、空間分割多元接続（ＳＤＭＡ）と呼ばれることもある。ＭＵ−ＭＩＭＯ空間レイヤは、整合される（たとえば、同じリソースブロックを使用する）かまたは整合されないことがある。
【００３８】
[0050]追加のマルチユーザ技法は、異なる変調レイヤが異なるＵＥに向けられ得る、非直交多元接続（ＮＯＭＡ）を含む。いくつかの例では、ＮＯＭＡ送信のための信号は、階層および／または重畳変調を使用して変調され得、第１のデータストリームが、信号のベースレイヤ上での送信のために変調され得、第２のデータストリームが、信号のエンハンスメントレイヤ上での送信のために変調され得る。たとえば、基地局は、１つまたは複数のＵＥへのベースレイヤ上に重畳されるエンハンスメントレイヤを有する信号を送信し得る。追加または代替として、ベースレイヤ上への第１のデータストリームとエンハンスメントレイヤ上への第２のデータストリームとの変調は、階層的であり得、送信信号のシンボルコンスタレーションが、ベースレイヤとエンハンスメントレイヤとに関連付けられたサブコンスタレーションを含む。いくつかの例では、ＵＥは、同様の様式で、複数の階層および／または重畳変調レイヤを基地局に送信し得る。
【００３９】
[0051]階層および／または重畳変調は、ベースレイヤとエンハンスメントレイヤとの間の送信電力の分割として理解され得る。ベースレイヤがそれに向けられたＵＥにとって、エンハンスメントレイヤは干渉として見られ得る。しかしながら、ベースレイヤの信号対雑音比（ＳＮＲ）は、エンハンスメントレイヤからの干渉の存在下でさえ、ベースレイヤからの第１のデータストリームの成功する復調と復号とを可能にするレベルにあり得る。エンハンスメントレイヤがそれに向けられたＵＥは、ベースレイヤ上で受信されたシンボルおよび／またはデータを復調および／または復号し、次いで、ベースレイヤの信号を除去するために干渉除去を実行し得る。ＵＥは、次いで、干渉除去後の残りの信号からの第２のデータストリームを復調および復号し得る。ＮＯＭＡダウンリンク送信における複数のレイヤが、同じリソースの一部または全部を共有する（たとえば、部分的にまたは完全に重複するリソースブロックを有する）とき、ＵＥは、ＵＥに向けられる他のレイヤ上のデータストリームを識別し、復号するために、ＮＯＭＡダウンリンク送信のレイヤのうちの１つまたは複数に対して干渉除去動作を実行し得る。
【００４０】
[0052]追加または代替として、干渉除去は、ＳＤＭＡのために使用され得る。たとえば、基地局は、第１の空間レイヤ上の第１のＵＥのための第１のデータストリームと、第２の空間レイヤ上の第２のＵＥのための第２のデータストリームとを含むＭＵ−ＭＩＭＯ送信を送信し得る。第１のＵＥは、送信信号を受信し、第２の空間レイヤの干渉除去を実行するために、第２の空間レイヤに関連付けられた信号を復調または復号し得る。第１のＵＥは、次いで、干渉除去後の残りの信号からの第１のデータストリームを復調および復号し得る。第２のＵＥは、送信信号を受信し、（干渉除去を使用することを行ってまたは行わずに）第２のデータストリームを復号し得る。この事例では、第１のＵＥへの送信の部分は、送信パラメータ（たとえば、変調およびコーディング方式（ＭＣＳ）など）が、第２のＵＥへの送信の部分を除去するために第１のＵＥにおいて干渉除去が行われていると仮定し得るので、同じくエンハンスメントレイヤ送信と見なされる。本明細書で使用する、「エンハンスメントレイヤ」という用語は、受信機が、所望のまたは意図された誤り率を達成するために、（たとえば、同じまたは異なる受信機への）送信の１つまたは複数のベースレイヤについて干渉除去を実行することになると仮定して送信される送信の一部分を指す。「ベースレイヤ」という用語は、受信機における他のレイヤの干渉除去なしを仮定して送信される送信または送信の一部分を指す。
【００４１】
[0053]基地局１０５による送信のために使用される技法は、送信ストラテジー（ＴＳ）によって定義され得る。送信ストラテジーは、ＵＥ１１５へのリソースの割振りのための様々な技法を含み得る。たとえば、異なるＵＥ１１５への送信が、周波数（たとえば、ＦＤＭＡ）、空間レイヤ（たとえば、ＳＤＭＡ）、またはＮＯＭＡ技法によって区別され得る。各ＴＳは、送信電力、レイヤ間の送信電力分割、空間レイヤのために使用されるプリコーディング、時間リソース、周波数リソースなどを含む様々な送信パラメータを使用して、１つまたは複数の非直交チャネルを介して、１つまたは複数のＵＥに送信される、１つまたは複数のデータストリームに関連付けられ得る。本明細書で使用される「非直交チャネル」は、直交レイヤと非直交レイヤの両方を含む可能な送信レイヤのためのマルチアンテナ送信機とマルチアンテナ受信機との間のキャリアのチャネルを含む。たとえば、キャリアのための非直交チャネルは、ＳＵ−ＭＩＭＯ、ＭＵ−ＭＩＭＯ、および／またはＮＯＭＡ技法などの送信技法のためのチャネルを含み得る。
【００４２】
[0054]ＬＴＥ／ＬＴＥ−Ａでは、チャネル状態情報（ＣＳＩ）フィードバックは、ダウンリンク送信がチャネルの特性に基づいて適応的に最適化されることを可能にする。概して、基地局１０５（たとえば、ｅＮＢ）は、送信モード（ＴＭ）においてＵＥ１１５を構成し得、ＴＭは、１つまたは複数の空間ダイバーシティ技法に従う動作を含み、そのためにＵＥ１１５が基準信号（たとえば、セル固有基準信号（ＣＲＳ）、ＣＳＩ基準信号（ＣＳＩ−ＲＳ）、ＵＥ固有基準信号（ＵＥ−ＲＳ）など）において測定を実行する、アンテナポートのセットを定義する。ＵＥは、ＴＭ依存であり得る推奨される送信フォーマットの形態でＣＳＩをフィードバックする。ＣＳＩフィードバックは、ＭＩＭＯ送信のために推奨されるレイヤの数を示す、ランクインジケータ（ＲＩ）と、ＲＩに対応するあらかじめ定義されたプリコーディングコードブック中の推奨されるＭＩＭＯプリコーディング行列のインデックスである、プリコーディング行列インジケータ（ＰＭＩ）と、プリコーディングタイプインジケータ（ＰＴＩ）と、報告されたＲＩ／ＰＭＩに対応するチャネル品質の指示（たとえば、信号対雑音比（ＳＮＲ））である、チャネル品質インジケータ（ＣＱＩ）とを含み得る。ＣＱＩは、あるブロックエラーレート（ＢＬＥＲ）においてＵＥ１１５によって受信され得る最大トランスポートブロックサイズに変換し得る、コードレートおよび変調次数（たとえば、ＱＰＳＫ、１６ＱＡＭ、６４ＱＡＭなど）に対するインデックスとして定義され得る。ＵＥ１１５は、周期的に、または基地局１０５からＣＳＩ要求を受信すると非周期的に、ＣＳＩフィードバックを報告することができる。したがって、ＵＥ１１５は、概して、ＴＭによって定義されたアンテナポートに従ってＭＩＭＯチャネルを測定し、所望の送信ストラテジーを選択し、所望のＴＳに対応するＣＳＩを報告する。しかしながら、ＭＵ−ＭＩＭＯでは、基地局１０５は、所与の送信間隔においてそこから選定するべき多数の送信ストラテジーを有することがあり、異なるＵＥから報告されたＣＳＩは、組合せ可能ではないＵＥ１１５によって選択された送信ストラテジーを生じることがある。
【００４３】
[0055]いくつかの実施形態では、基地局１０５および／またはＵＥ１１５を含む、ワイヤレス通信システム１００の構成要素は、本開示で説明されるように、改善されたチャネルフィードバックおよびスケジューリング技法に従って構成され得る。
【００４４】
[0056]図２は、本開示の様々な態様による、周波数選択性チャネルのための改善されたチャネルフィードバック設計が採用され得る、例示的なワイヤレス通信環境２００を示す。ワイヤレス通信環境２００では、ＵＥ１１５−ａ、１１５−ｂ、１１５−ｃ、および１１５−ｄは、基地局１０５−ａ（たとえば、ｅＮＢの基地局）に接続され得る。
【００４５】
[0057]基地局１０５−ａは、いくつかの方法で非直交チャネルのための送信リソースを構成し得る。たとえば、基地局１０５−ａは、ＭＵ−ＭＩＭＯ技法またはＮＯＭＡ技法に従って、複数のＵＥ１１５−ａ、１１５−ｂへの複数のダウンリンク送信の送信のための非直交チャネルの送信リソースを構成し得る。基地局１０５−ａは、代替的に、ＳＵ−ＭＩＭＯ技法に従って、ＵＥ１１５−ｃへのダウンリンク送信の送信のための非直交チャネル（または、異なるチャネル）の送信リソースを構成し得る。基地局１０５−ａは、代替的に、ＵＥ１１５−ｄへのシングルレイヤダウンリンク送信２３０−ｂのための非直交チャネル（または、異なるチャネル）の送信リソースを構成し得る。
【００４６】
[0058]基地局１０５−ａによる送信リソースの構成は、ＵＥ１１５−ａ、１１５−ｂ、１１５−ｃ、および１１５−ｄの各々から受信されたチャネルフィードバック情報に少なくとも部分的に基づき得、そのチャネルフィードバック情報は、本開示で説明されるチャネルフィードバック技法に従って拡張され得る。
【００４７】
[0059]図３は、本開示の様々な態様による、周波数選択性チャネルとともに動作し得るワイヤレス通信システムのための例示的なメッセージフロー３００を示す。いくつかの例では、基地局１０５−ｂおよびＵＥ１１５−ｅは、図１または図２に関して説明された基地局１０５およびＵＥ１１５の態様の例であり得る。
【００４８】
[0060]基地局１０５−ｂは、基準信号３０５を送信し得、基準信号３０５は、いくつかの例では、ＣＲＳ、ＣＳＩ−ＲＳ、および／またはＵＥ−ＲＳのうちの１つまたは複数を含み得、異なるアンテナポートから送信された同じタイプの複数の基準信号を含み得る。基準信号３０５は、非直交チャネルを介して送信され得る。
【００４９】
[0061]ブロック３１０で、ＵＥ１１５−ｅは、非直交チャネルのためのサブキャリアチャネル情報を決定し得る。たとえば、ＵＥ１１５−ｅは、基準信号３０５を測定し、非直交チャネルのための１つまたは複数のサブバンドのそれぞれのサブキャリアのための複数のチャネルフィードバック行列Ｍを決定し得る。いくつかの例では、それぞれのサブキャリアは、サブバンドのサブキャリアのすべてを含み得る。他の例では、それぞれのサブキャリアは、サブバンドのサブキャリアのインターレースされたサブセットを含み得る。各チャネルフィードバック行列Ｍは、ＮT×ＮTエルミート行列であり得、ただし、ＮTは、非直交チャネルを介して送信することができる基地局１０５−ｂのアンテナの数である。チャネルフィードバック行列の各々は、複数のサブキャリアのうちのサブキャリアのための、チャネル行列Ｈ（たとえば、ＮR×ＮT行列、ただし、ＮRは、ＭＩＭＯチャネルを介して受信することができるＵＥ１１５−ｅのアンテナの数である）と、雑音共分散行列ＲNN（たとえば、ＮR×ＮR行列）とに基づき得、タイプ
【００５０】
【数１】
0006337215.tif 000002
【００５１】
のものであり得、ただし、ＨHは、Ｈの共役転置を示す。
【００５２】
[0062]平坦なフェージングチャネルおよび定常干渉では、行列Ｍの各々は、プリコーディング行列の関数として、
【００５３】
【数２】
0006337215.tif 000003
【００５４】
として決定され得、ただし、Ｐは、プリコーディング行列である。２×２ＭＩＭＯの場合、およびプリコーディング行列Ｐが与えられれば、行列Ｍ（Ｐ）は、次の形式をとり得る。
【００５５】
【数３】
0006337215.tif 000004
【００５６】
場合によっては、行列中の情報は、実数Ｍ00、Ｍ11、および｜Ｍ01｜2（すなわち、非対角要素の絶対値の２乗）によって表され得る。
【００５７】
[0063]所与のプリコーディング行列、およびサブキャリア（すなわち、トーン）のセットでは、トーンｔのための行列Ｍ（ｔ）は、次の形式をとり得る。
【００５８】
【数４】
0006337215.tif 000005
【００５９】
[0064]ブロック３１５で、ＵＥ１１５−ｅは、サブバンドのための１つまたは複数の有効チャネルフィードバック行列
【００６０】
【数５】
0006337215.tif 000006
【００６１】
を決定し得る。有効チャネルフィードバック行列
【００６２】
【数６】
0006337215.tif 000007
【００６３】
は、チャネルフィードバック行列Ｍに基づき得る。有効チャネルフィードバック行列の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。場合によっては、非直交チャネルのための複数の送信ストラテジーは、少なくとも１つのシングルユーザ送信ストラテジー（たとえば、ＳＵ−ＭＩＭＯ送信ストラテジー）と、少なくとも１つのマルチユーザ送信ストラテジー（たとえば、ＭＵ−ＭＩＭＯまたはＮＯＭＡ送信ストラテジー）とを含み得る。
【００６４】
[0065]いくつかの実施形態では、ＵＥ１１５−ｅは、非直交チャネルのための複数の送信ストラテジーを、送信ストラテジーのそれぞれのセットに区分し得る。たとえば、ＵＥ１１５−ｅは、送信ストラテジーのあらかじめ決定されたグループとともに構成され得る。追加または代替として、基地局１０５−ｂは、送信ストラテジーのグループを示すシグナリングを送り得る。いくつかの例では、セットは独立セットであり得る。いくつかの例では、送信ストラテジーのセットの各々は、同じプリコーディング行列を利用する送信ストラテジーを含み得、したがって、有効チャネルフィードバック行列は、いくつかのプリコーディング行列の各々について決定され得る。
【００６５】
[0066]いくつかの実施形態では、有効チャネルフィードバック行列
【００６６】
【数７】
0006337215.tif 000008
【００６７】
は、有効個別レイヤチャネル品質の少なくとも１つのインジケータ（たとえば、有効チャネルフィードバック行列の対角成分
【００６８】
【数８】
0006337215.tif 000009
【００６９】
および
【００７０】
【数９】
0006337215.tif 000010
【００７１】
）と、有効組合せレイヤチャネル品質のインジケータ（たとえば、有効チャネルフィードバック行列の非対角成分の絶対値の２乗
【００７２】
【数１０】
0006337215.tif 000011
【００７３】
）とを含み得る。いくつかの例では、有効チャネルフィードバック行列
【００７４】
【数１１】
0006337215.tif 000012
【００７５】
は、送信ストラテジーのサブセットについて評価されたチャネル品質関数（たとえば、有効ＳＮＲ式）のセットを使用して計算され得る。いくつかの実施形態では、チャネル品質関数のセットは、送信ストラテジーの対応するセットにわたる最大容量誤差、または送信ストラテジーの対応するセットにわたる平均容量誤差など、特定の誤差メトリックを最適化するように選択され得る。追加または代替として、チャネル品質関数のセットは、送信ストラテジーの対応するセットのうちの送信ストラテジーの選択の可能性に少なくとも部分的に基づいて選択され得る。この可能性は、送信ストラテジーの対応するセットにおける各送信ストラテジーの容量に少なくとも部分的に基づき得る。追加または代替として、この可能性は、前の送信のための送信ストラテジー、推定されたデータ送信の量、またはチャネル空間特性に関係付けられた情報を使用して決定され得る。いくつかの例では、チャネル品質関数のセットの指示は、基地局１０５−ｂからＵＥ１１５−ｅにおいて受信され得る。
【００７６】
[0067]ランク２送信ストラテジーの対応するセットでは、有効チャネルフィードバック行列
【００７７】
【数１２】
0006337215.tif 000013
【００７８】
は、各プリコーディング行列Ｐについて決定され、次の形式をとり得、
【００７９】
【数１３】
0006337215.tif 000014
【００８０】
この行列は、要素
【００８１】
【数１４】
0006337215.tif 000015
【００８２】
および
【００８３】
【数１５】
0006337215.tif 000016
【００８４】
を含む対角に関して対称である。場合によっては、２×２行列における情報は、３つの実数
【００８５】
【数１６】
0006337215.tif 000017
【００８６】
、
【００８７】
【数１７】
0006337215.tif 000018
【００８８】
、および
【００８９】
【数１８】
0006337215.tif 000019
【００９０】
（すなわち、非対角要素の絶対値の２乗）によって表され得る。
【００９１】
[0068]いくつかの例では、実数
【００９２】
【数１９】
0006337215.tif 000020
【００９３】
は、シングルユーザ、シングルレイヤ有効ＳＮＲから、次のように決定され得、
【００９４】
【数２０】
0006337215.tif 000021
【００９５】
ただし、式ＧM｛．｝は、トーンｔのための式｛．｝の幾何平均として定義される。同様に、実数
【００９６】
【数２１】
0006337215.tif 000022
【００９７】
は、シングルユーザ、シングルレイヤ有効ＳＮＲから、次のように決定され得る。
【００９８】
【数２２】
0006337215.tif 000023
【００９９】
[0069]実数
【０１００】
【数２３】
0006337215.tif 000024
【０１０１】
または
【０１０２】
【数２４】
0006337215.tif 000025
【０１０３】
（ただし、
【０１０４】
【数２５】
0006337215.tif 000026
【０１０５】
）は、特定の送信ストラテジーのための有効ＳＮＲ式から、次のように決定され得、
【０１０６】
【数２６】
0006337215.tif 000027
【０１０７】
ただし、
【０１０８】
【数２７】
0006337215.tif 000028
【０１０９】
である。たとえば、特定の送信ストラテジーは、２つのレイヤと、レイヤ間の等電力割振りとを使用する、ＳＵ−ＭＩＭＯ送信であり得る。この場合、実数
【０１１０】
【数２８】
0006337215.tif 000029
【０１１１】
または
【０１１２】
【数２９】
0006337215.tif 000030
【０１１３】
は、次のように決定され得る。
【０１１４】
【数３０】
0006337215.tif 000031
【０１１５】
[0070]いくつかの実施形態では、ＵＥ１１５−ｅは、代替的に、（たとえば、ｌｏｇ  ｄｅｔ（Ｉ＋Ｍ）に基づいて）非直交チャネルの全容量から
【０１１６】
【数３１】
0006337215.tif 000032
【０１１７】
を決定し得る。また、いくつかの実施形態では、特定の送信ストラテジー（たとえば、選定した送信ストラテジー）のための誤差を低減するために、（たとえば、異なる送信ストラテジーについて定義された複数の式から）
【０１１８】
【数３２】
0006337215.tif 000033
【０１１９】
を決定するための式を、ＵＥ１１５−ｃに選択させることが有益であり得る。
【０１２０】
[0071]有効チャネルフィードバック行列の望まれる性質は、チャネルタイプとは無関係な良好な性能であり得る。すなわち、平坦なフェージングチャネルのための有効チャネルフィードバック行列は、条件
【０１２１】
【数３３】
0006337215.tif 000034
【０１２２】
を満たし得る。いくつかの例では、基地局１０５−ｂは、平坦なフェージングチャネルのためのＳＮＲ式を使用して、
【０１２３】
【数３４】
0006337215.tif 000035
【０１２４】
からＳＮＲを決定する。次に、これは、ＵＥ１１５−ｅによって使用されるＳＮＲ式のための選択基準を決定し得る。したがって、ＵＥ１１５−ｅは、関与する送信ストラテジーのための有効ＳＮＲ式を使用して、有効チャネルフィードバック行列を決定し得、同じ式が、基地局１０５−ｂにおけるＳＮＲ決定のために使用され得る。
【０１２５】
[0072]ブロック３２０で、ＵＥ１１５−ｅは、随意に、送信ストラテジーのセットの各送信ストラテジーについて（または、送信ストラテジーの各セットの各送信ストラテジーについて）、対応する有効チャネルフィードバック行列から生じ得るチャネル品質誤差（たとえば、ＳＮＲ誤差など）の量を決定し得る。いくつかの例では、チャネル品質誤差は、（たとえば、対応する送信ストラテジーに固有であるチャネルフィードバック行列に基づく平均ＳＮＲと比較して）対応する送信ストラテジーのための平均誤差に基づき得る。各チャネル品質誤差について、ＵＥ１１５−ｅは、随意に、チャネル品質誤差がしきい値よりも大きいか否かを決定し得る。
【０１２６】
[0073]３２５で、ＵＥ１１５−ｅは、（たとえば、基地局１０５−ｂに）複数の送信ストラテジーにわたるＵＥ１１５−ｅのためのチャネル品質推定のためのチャネルフィードバック情報を報告し得る。チャネルフィードバック情報は、１つまたは複数の有効チャネルフィードバック行列
【０１２７】
【数３５】
0006337215.tif 000036
【０１２８】
を表し得る。いくつかの実施形態では、所与の有効チャネルフィードバック行列のためのチャネルフィードバック情報は、有効個別レイヤチャネル品質の少なくとも１つのインジケータ（たとえば、有効チャネルフィードバック行列
【０１２９】
【数３６】
0006337215.tif 000037
【０１３０】
の対角成分
【０１３１】
【数３７】
0006337215.tif 000038
【０１３２】
および
【０１３３】
【数３８】
0006337215.tif 000039
【０１３４】
）と、有効組合せレイヤチャネル品質のインジケータ（たとえば、有効チャネルフィードバック行列
【０１３５】
【数３９】
0006337215.tif 000040
【０１３６】
の非対角成分の絶対値の２乗
【０１３７】
【数４０】
0006337215.tif 000041
【０１３８】
）とを含み得る。いくつかの実施形態では、複数の送信ストラテジーは、ランク２非直交環境のための送信ストラテジーを含み得、有効個別レイヤチャネル品質の少なくとも１つのインジケータは、第１のレイヤのための有効シングルユーザチャネル品質（たとえば、
【０１３９】
【数４１】
0006337215.tif 000042
【０１４０】
）と、第２のレイヤのための有効シングルユーザチャネル品質（たとえば、
【０１４１】
【数４２】
0006337215.tif 000043
【０１４２】
）とを含み得る。いくつかの実施形態では、有効組合せレイヤチャネル品質のインジケータは、送信ストラテジーのサブセット（たとえば、ＳＵ−ＭＩＭＯ、ランク２、レイヤ間の等電力割振り）について評価されたチャネル品質関数（たとえば、ＳＮＲ式）を使用して計算され得る。チャネルフィードバック情報の量は、上記で説明されたように送信されるとき、プリコーディング行列の数に対して線形にスケールするが、送信ストラテジーの数に対して一定である。
【０１４３】
[0074]所与の有効チャネルフィードバック行列について報告されたチャネルフィードバック情報が、第１のレイヤのための有効シングルユーザチャネル品質と、第２のレイヤのための有効シングルユーザチャネル品質と、有効組合せレイヤチャネル品質のインジケータとを含むとき、チャネルフィードバック情報の報告は、有効チャネルフィードバック行列ごとに３つの実数を含み得る。場合によっては、報告中に含まれる実数の数は、性能を犠牲にする可能性があるが、低減され得る。たとえば、行列
【０１４４】
【数４３】
0006337215.tif 000044
【０１４５】
および
【０１４６】
【数４４】
0006337215.tif 000045
【０１４７】
がペアで等しい対角要素と同じ絶対値の非対角要素とを有するように決定された、それぞれの異なるプリコーディング行列Ｐ１およびＰ２のための、２つの異なる有効チャネルフィードバック行列
【０１４８】
【数４５】
0006337215.tif 000046
【０１４９】
および
【０１５０】
【数４６】
0006337215.tif 000047
【０１５１】
が与えられると、３つの絶対値の数および２つの位相である、５つの実数が、それらの２つの有効チャネルフィードバック行列のために報告され得る。
【０１５２】
[0075]いくつかの実施形態では、ＵＥ１１５−ｅは、異なるプリコーディング行列のためのチャネルフィードバック情報の周期報告をインターレースし得る。たとえば、ＵＥ１１５−ｅは、各プリコーディング行列のためのインターレースされたランク１報告を使用して、有効個別レイヤチャネル品質（たとえば、
【０１５３】
【数４７】
0006337215.tif 000048
【０１５４】
、
【０１５５】
【数４８】
0006337215.tif 000049
【０１５６】
）を報告し得、ランク２報告を使用して、複数のプリコーディング行列のための有効組合せレイヤチャネル品質のインジケータ（たとえば、
【０１５７】
【数４９】
0006337215.tif 000050
【０１５８】
）を与え得る。したがって、周期報告は、周期ＣＳＩ報告のための確立されたタイミングを使用し得、同じまたは修正された周期ＣＳＩ報告タイプを使用し得る。報告はまた、有効個別レイヤチャネル品質または有効組合せレイヤチャネル品質を報告するために、空間差分ＣＱＩを使用し得る。
【０１５９】
[0076]３３０で、および、３２５の前、その間、および／またはその後、他のＵＥ１１５もまた、チャネルフィードバック情報を基地局１０５−ｂに報告し得る。
【０１６０】
[0077]３３５で、および、送信ストラテジーのセットのサブセットにおける各送信ストラテジーのためのチャネル品質誤差が、（たとえば、ブロック３２０で）しきい値よりも大きいと決定すると、ＵＥ１１５−ｅは、その送信ストラテジーのサブセットがＵＥ１１５−ｅとの通信のために使用されるべきではないという指示を送信し得る。いくつかの例では、指示はビットマップを含み得る。
【０１６１】
[0078]基地局１０５−ｂは、ブロック３２５および３３０で送信されたチャネルフィードバック情報を受信し得、ブロック３４０で、基地局１０５−ｂは、チャネルフィードバック情報に少なくとも部分的に基づいて、複数の送信ストラテジーのためのチャネル品質を推定し得る。チャネル品質は、非直交チャネルを介したダウンリンク送信のために、（ＵＥ１１５−ｅを含む）複数のＵＥ１１５の少なくともサブセットについて推定され得る。
【０１６２】
[0079]いくつかの実施形態では、基地局１０５−ｂは、チャネル品質関数（たとえば、有効ＳＮＲ式）に基づいて、特定の送信ストラテジーのためのチャネル品質を推定し得る。たとえば、受信機におけるそれぞれのレイヤのためのＳＮＲは、次のように示され得、
【０１６３】
【数５０】
0006337215.tif 000051
【０１６４】
ただし、ＳＮＲ00は、ユーザ０およびレイヤ０のためのＳＮＲである。（干渉除去（ＩＣ）および／または連続干渉除去（ＳＩＣ）後の）それぞれの受信機におけるそれぞれのレイヤの電力が、次のように示される場合、
【０１６５】
【数５１】
0006337215.tif 000052
【０１６６】
有効ＳＮＲ式は、次の形式をとり得、
【０１６７】
【数５２】
0006337215.tif 000053
【０１６８】
ただし、干渉γ0およびγ1は、γ0＝ＥX10、およびγ1＝ＥX01＋ＥX11であると仮定される。上記の有効ＳＮＲ式が与えられると、この式は、シングルユーザ、シングルレイヤ送信ストラテジーについて、
【０１６９】
【数５３】
0006337215.tif 000054
【０１７０】
に簡略化され得る。この式は、ランク２、ＩＣ／ＳＩＣなし、レイヤ間の等電力分割を伴うＳＵ−ＭＩＭＯ送信ストラテジーについて、次のように簡略化され得る。
【０１７１】
【数５４】
0006337215.tif 000055
【０１７２】
[0080]すべてのユーザおよびすべてのレイヤのＳＮＲのための式は、置換によってＳＮＲ00のための式から導出され得る。異なる送信ストラテジーのための有効ＳＮＲは、非線形式を有するので、有効チャネルフィードバック行列
【０１７３】
【数５５】
0006337215.tif 000056
【０１７４】
から合成された有効ＳＮＲは、実際のＳＮＲの近似値のみである。基地局１０５−ｂは、スケジューリング、変調およびコーディング方式（ＭＣＳ）の選定などのために、これらの近似値を使用し得る。
【０１７５】
[0081]ブロック３４５で、基地局１０５−ｂは、推定されたチャネル品質に基づいて、ダウンリンク送信のためのそれぞれの送信ストラテジーを決定し得る。いくつかの実施形態では、複数のＵＥ１１５および１１５−ｅのためのそれぞれの送信ストラテジーを決定することは、非直交チャネルのリソースの同じセットのためのＵＥペアリングの数を決定することを含み得る。
【０１７６】
[0082]３５０で、基地局１０５−ｂは、ダウンリンク送信のためのスケジューリング情報を送信し得、ブロック３５５で、基地局１０５−ｂは、それぞれの送信ストラテジーに従って、非直交チャネルを介して、複数のＵＥ１１５および１１５−ｅの少なくともサブセットにダウンリンク送信を送信し得る。
【０１７７】
[0083]図４は、本開示の様々な態様による、２×２ＮＯＭＡ送信ストラテジーに従って行われるダウンリンク送信間のレイヤトポロジー４００の一例を示す。ＮＯＭＡダウンリンク送信は、基地局１０５−ｃからＵＥ０  １１５−ｆおよびＵＥ１  １１５−ｇへの送信であり得る。基地局１０５−ｃ、ならびにＵＥ１１５−ｆおよび１１５−ｇは、図１〜図３に関して説明された基地局１０５およびＵＥ１１５のそれぞれの例であり得る。
【０１７８】
[0084]基地局１０５−ｃにおいて、送信電力は、２つのＵＥ間で分割され得、電力αがＵＥ０  １１５−ｆに割り振られ、電力１−αがＵＥ１  １１５−ｇに割り振られる。各ＵＥ１１５について、割り振られた送信電力は、レイヤ（たとえば、レイヤ０およびレイヤ１）の間でさらに分割され得る。したがって、ＵＥ０  １１５−ｆのためのレイヤ０に割り振られた送信電力は、α＊ｘ００であり得、ＵＥ０  １１５−ｆのためのレイヤ１に割り振られた送信電力は、α＊（１−ｘ００）であり得る。同様に、ＵＥ１  １１５−ｇのためのレイヤ０に割り振られた送信電力は、（１−α）＊ｘ１０であり得、ＵＥ１  １１５−ｇのためのレイヤ１に割り振られた送信電力は、（１−α）＊（１−ｘ１０）であり得る。ＵＥ０  １１５−ｆが、ＩＣ０の受信電力のための干渉除去（ＩＣ）を採用すると仮定すると、レイヤ１上でＵＥ０  １１５−ｆにおいて受信されたデータストリームは、レイヤ０のための式（１−α）＊ｘ１０＊（１−ＩＣ０）と、レイヤ１のための式（１−α）＊（１−ｘ１０）＊（１−ＩＣ０）とを使用して、ＵＥ１  １１５−ｇに送信されたデータストリームの干渉を除去することによって、復号され得る。
【０１７９】
[0085]図５は、本開示の様々な態様による、図３または図４に関して説明された非直交チャネルなど、非直交チャネルのために使用され得る、例示的な送信ストラテジー５００を示す。送信ストラテジー５００は、送信ストラテジー（ＴＳ）Ａ  ５２５−ａ、Ｂ  ５２５−ｂ、Ｃ  ５２５−ｃ、Ｄ  ５２５−ｄ、Ｅ  ５２５−ｅ、および／またはＦ  ５２５−ｆを含み得る。
【０１８０】
[0086]ＴＳ  Ａ  ５２５−ａは、ＵＥ１１５がＳＵモードで動作することができるＴＳであり得る（たとえば、送信ダイバーシティ、閉ループ空間多重化などを伴う、ランク１、ランク２など）。ＴＳ  Ｂ  ５２５−ｂは、電力がＵＥ１１５と異なるＵＥ１１５との間で分割されるＮＯＭＡ方式であり得る。ＴＳ  Ｃ  ５２５−ｃおよびＴＳ  Ｄ  ５２５−ｄは、それぞれ、ＩＣありおよびＩＣなしの直交空間レイヤを使用するランク１  ＳＤＭＡ  ＴＳであり得る。ＴＳ  Ｅ  ５２５−ｅおよびＴＳ  Ｆ  ５２５−ｆは、ＮＯＭＡ技法の組合せのためのＴＳを含み得る。たとえば、ＴＳ  Ｅ  ５２５−ｅおよびＴＳ  Ｆ  ５２５−ｆは、それぞれ、ＵＥ１１５ではランク１または２であり得、異なるＵＥ１１５への送信を多重化するために、一方または両方の空間レイヤ上でＮＯＭＡ技法を使用し得る。
【０１８１】
[0087]図６は、本開示の様々な態様による、ＵＥにおけるワイヤレス通信のための方法６００のフロー図を示す。明快のために、方法６００が、図１、図２、図３、図４、図１２、および図１３に関して説明されるＵＥ１１５のうちの１つまたは複数の態様、ならびに／あるいは図８および図９に関して説明されるデバイス８０５のうちの１つまたは複数の態様に関して、以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して、以下で説明される機能のうちの１つまたは複数を実行し得る。加えて、破線の外形を有する方法６００のブロックは、方法６００では随意であり得る。
【０１８２】
[0088]ブロック６０５で、ＵＥ１１５は、非直交チャネルのためのサブバンドの複数のサブキャリアに対応する複数のチャネルフィードバック行列Ｍを決定し得る。チャネルフィードバック行列の各々は、複数のサブキャリアのうちのサブキャリアのためのチャネル行列Ｈと雑音共分散行列ＲNNとに基づき得、タイプ
【０１８３】
【数５６】
0006337215.tif 000057
【０１８４】
のものであり得る。
【０１８５】
[0089]ブロック６１０で、ＵＥ１１５は、サブバンドのための１つまたは複数の有効チャネルフィードバック行列
【０１８６】
【数５７】
0006337215.tif 000058
【０１８７】
を決定し得る。有効チャネルフィードバック行列
【０１８８】
【数５８】
0006337215.tif 000059
【０１８９】
は、複数のチャネルフィードバック行列Ｍに基づき得る。有効チャネルフィードバック行列の各々は、送信ストラテジーの対応するセットに関連付けられ得、ただし、送信ストラテジーの対応するセットの各々は、非直交チャネルのための複数の送信ストラテジー（たとえば、送信ストラテジー５００）のうちの１つまたは複数の送信ストラテジーを含む。場合によっては、非直交チャネルのための複数の送信ストラテジーは、少なくとも１つのシングルユーザ送信ストラテジー（たとえば、ＳＵ−ＭＩＭＯ送信ストラテジー）と、少なくとも１つのマルチユーザ送信ストラテジー（たとえば、ＭＵ−ＭＩＭＯ送信ストラテジー）とを含み得る。いくつかの例では、複数の送信ストラテジーは、追加または代替として、非直交レイヤを含む少なくとも１つのマルチレイヤ送信ストラテジー（たとえば、ＮＯＭＡ送信ストラテジー）を含み得る。
【０１９０】
[0090]いくつかの実施形態では、ＵＥ１１５は、非直交チャネルのための複数の送信ストラテジーを、送信ストラテジーの対応するセットに区分し得る。いくつかの例では、セットは独立セットであり得る。いくつかの例では、送信ストラテジーの対応するセットの各々は、同じプリコーディング行列を利用する送信ストラテジーを含み得、したがって、有効チャネルフィードバック行列は、複数のプリコーディング行列の各々について決定され得る。
【０１９１】
[0091]いくつかの実施形態では、有効チャネルフィードバック行列
【０１９２】
【数５９】
0006337215.tif 000060
【０１９３】
は、有効個別レイヤチャネル品質の少なくとも１つのインジケータ（たとえば、有効チャネルフィードバック行列の対角成分
【０１９４】
【数６０】
0006337215.tif 000061
【０１９５】
および
【０１９６】
【数６１】
0006337215.tif 000062
【０１９７】
）と、有効組合せレイヤチャネル品質のインジケータ（たとえば、有効チャネルフィードバック行列の非対角成分
【０１９８】
【数６２】
0006337215.tif 000063
【０１９９】
）とを含み得る。いくつかの例では、有効組合せレイヤチャネル品質のインジケータは、送信ストラテジーのサブセットについて評価されたチャネル品質関数（たとえば、有効ＳＮＲ式）のセットを使用して計算され得る。いくつかの実施形態では、チャネル品質関数のセットは、送信ストラテジーの対応するセットにわたる最大容量誤差、または送信ストラテジーの対応するセットにわたる平均容量誤差など、特定の誤差メトリックを最適化するように選択され得る。追加または代替として、チャネル品質関数のセットは、送信ストラテジーの対応するセットのうちの送信ストラテジーの選択の可能性に少なくとも部分的に基づいて選択され得る。いくつかの実施形態では、送信ストラテジーのサブセットは、２つのレイヤ（たとえば、ランク２）と、レイヤ間の等電力割振りとを使用するＳＵ−ＭＩＭＯ送信に対応し得る。
【０２００】
[0092]ブロック６１５で、ＵＥ１１５は、随意に、送信ストラテジーの対応するセットの各送信ストラテジーについて（または、送信ストラテジーの各セットの各送信ストラテジーについて）、対応する有効チャネルフィードバック行列から生じ得るチャネル品質誤差の量を決定し得る。ＵＥ１１５はまた、各チャネル品質誤差について、チャネル品質誤差がしきい値よりも大きいか否かを決定し得る。
【０２０１】
[0093]ブロック６２０で、ＵＥは、（たとえば、基地局１０５に）複数の送信ストラテジーにわたるＵＥのためのチャネル品質推定のためのチャネルフィードバック情報を報告し得る。チャネルフィードバック情報は、１つまたは複数の有効チャネルフィードバック行列を表し得る。いくつかの実施形態では、所与の有効チャネルフィードバック行列のためのチャネルフィードバック情報は、有効個別レイヤチャネル品質の少なくとも１つのインジケータ（たとえば、有効チャネルフィードバック行列
【０２０２】
【数６３】
0006337215.tif 000064
【０２０３】
の対角成分
【０２０４】
【数６４】
0006337215.tif 000065
【０２０５】
および
【０２０６】
【数６５】
0006337215.tif 000066
【０２０７】
）と、有効組合せレイヤチャネル品質のインジケータ（たとえば、有効チャネルフィードバック行列
【０２０８】
【数６６】
0006337215.tif 000067
【０２０９】
の非対角成分
【０２１０】
【数６７】
0006337215.tif 000068
【０２１１】
）とを含み得る。いくつかの実施形態では、複数の送信ストラテジーは、２レイヤ非直交環境のための送信ストラテジーを含み得、有効個別レイヤチャネル品質の少なくとも１つのインジケータは、第１のレイヤのための有効シングルユーザチャネル品質（たとえば、
【０２１２】
【数６８】
0006337215.tif 000069
【０２１３】
）と、第２のレイヤのための有効シングルユーザチャネル品質（たとえば、
【０２１４】
【数６９】
0006337215.tif 000070
【０２１５】
）とを含み得る。いくつかの実施形態では、有効組合せレイヤチャネル品質のインジケータは、送信ストラテジーのサブセット（たとえば、ＳＵ−ＭＩＭＯ、ランク２、レイヤ間の等電力割振り）について評価されたチャネル品質関数（たとえば、ＳＮＲ式）のセットを使用して計算され得る。報告は、上記で説明されたように、周期的であり得、ランクおよび周期報告の関連付けによってインターレースされ得る。
【０２１６】
[0094]ブロック６２５で、および（たとえば、図３のブロック３２０に関して上記で説明されたように）送信ストラテジーのサブセットの各々のためのチャネル品質誤差がしきい値よりも大きいと決定すると、ＵＥ１１５−ｅは、随意に、その送信ストラテジーのサブセットがＵＥ１１５−ｅとの通信のために使用されるべきではないという指示を送信し得る。
【０２１７】
[0095]ブロック６３０で、ＵＥ１１５は、基地局１０５から、非直交チャネルを介したダウンリンク送信のためのスケジューリング情報を受信し得る。ダウンリンク送信は、ブロック６２０でＵＥ１１５によって報告されたチャネルフィードバック情報と、そのためのダウンリンク送信が非直交チャネルを介して行われる他のＵＥから受信されたチャネルフィードバック情報とに基づいて、基地局１０５によってスケジュールされ得る。スケジューリング情報は、たとえば、ＵＥおよび他のＵＥによるチャネルフィードバック情報報告に基づいて、基地局によって選択された送信ストラテジーに従って、ダウンリンク送信のための送信パラメータを示し得る。
【０２１８】
[0096]ブロック６３５で、ＵＥ１１５は、基地局１０５から非直交チャネルを介してダウンリンク送信を受信し得る。
【０２１９】
[0097]いくつかの事例では、ＵＥ１１５は、ブロック６４０で、受信されたダウンリンク送信にＩＣまたはＳＩＣを適用し得る（たとえば、ＵＥ１１５は、異なる空間レイヤ、電力分割などにおける、別のＵＥへのダウンリンク送信のＩＣまたはＳＩＣを実行し得る）。ブロック６４５で、ＵＥ１１５は、ＵＥ１１５に向けられたデータストリームを復号し得る。ＵＥ１１５はまた、知られている技法に従って、復号データストリームのためのＨＡＲＱプロセスを実行し得る。
【０２２０】
[0098]図７は、本開示の様々な態様による、基地局におけるワイヤレス通信のための方法７００のフロー図を示す。明快のために、方法７００は、図１、図２、図３、図４、図１２、および図１３に関して説明される基地局１０５のうちの１つまたは複数の態様、ならびに／あるいは図１１に関して説明されるデバイス１１０５のうちの１つまたは複数の態様に関して、以下に説明される。いくつかの例では、基地局１０５が、以下で説明される機能を実行するように基地局１０５の機能要素を制御するためのコードの１つまたは複数のセットを実行し得る。追加または代替として、基地局１０５は、専用ハードウェアを使用して、以下で説明される機能のうちの１つまたは複数を実行し得る。
【０２２１】
[0099]ブロック７０５で、基地局は、複数のＵＥ１１５から非直交チャネルのためのチャネルフィードバック情報を受信し得る。各ＵＥ１１５からのチャネルフィードバック情報は、非直交チャネルの１つまたは複数のサブバンドの複数のサブキャリアのための１つまたは複数の有効チャネルフィードバック行列を表し得る。１つまたは複数の有効チャネルフィードバック行列の各々は、非直交チャネルのための複数の送信ストラテジーのうちの送信ストラテジーのセットに対応し得る。場合によっては、非直交チャネルのための複数の送信ストラテジーは、少なくとも１つのシングルユーザ送信ストラテジー（たとえば、ＳＵ−ＭＩＭＯ送信ストラテジー）と、少なくとも１つのマルチユーザ送信ストラテジー（たとえば、ＭＵ−ＭＩＭＯ送信ストラテジー）とを含み得る。いくつかの例では、複数の送信ストラテジーは、追加または代替として、非直交レイヤを含む少なくとも１つのマルチレイヤ送信ストラテジー（たとえば、ＮＯＭＡ送信ストラテジー）を含み得る。
【０２２２】
[0100]いくつかの実施形態では、所与の有効チャネルフィードバック行列を表すチャネルフィードバック情報は、有効個別レイヤチャネル品質の少なくとも１つのインジケータ（たとえば、
【０２２３】
【数７０】
0006337215.tif 000071
【０２２４】
および
【０２２５】
【数７１】
0006337215.tif 000072
【０２２６】
）と、有効組合せレイヤチャネル品質のインジケータ（たとえば、
【０２２７】
【数７２】
0006337215.tif 000073
【０２２８】
）とを含み得る。場合によっては、複数の送信ストラテジーは、２レイヤ非直交環境のための送信ストラテジーを含み得、有効個別レイヤチャネル品質の少なくとも１つのインジケータは、第１のレイヤのための有効シングルユーザチャネル品質（たとえば、
【０２２９】
【数７３】
0006337215.tif 000074
【０２３０】
）と、第２のレイヤのための有効シングルユーザチャネル品質（たとえば、
【０２３１】
【数７４】
0006337215.tif 000075
【０２３２】
）とを含み得る。
【０２３３】
[0101]ブロック７０８で、基地局は、送信ストラテジーのサブセットがＵＥ１１５との通信のために使用されるべきではないという指示を、ＵＥ１１５から受信し得る。
【０２３４】
[0102]ブロック７１０で、基地局１０５は、非直交チャネルを介したダウンリンク送信のために、複数のＵＥ１１５の少なくともサブセットのための、複数の送信ストラテジーのためのチャネル品質を推定し得る。チャネル品質は、チャネルフィードバック情報に少なくとも部分的に基づいて推定され得る。いくつかの実施形態では、基地局１０５は、チャネル品質関数（たとえば、有効ＳＮＲ式）に基づいて、特定の送信ストラテジーのためのチャネル品質を推定し得る。
【０２３５】
[0103]ブロック７１５で、基地局１０５は、推定されたチャネル品質に基づいて、ＵＥの少なくともサブセットへのダウンリンク送信のためのそれぞれの送信ストラテジーを決定し得る。いくつかの実施形態では、ＵＥ１１５の少なくともサブセットのためのそれぞれの送信ストラテジーを決定することは、非直交チャネルのリソースの同じセットのための複数のＵＥペアリングを決定することを含み得る。加えて、少なくともサブセットＵＥ１１５のためのそれぞれの送信ストラテジーを決定することは、ブロック７０８で、送信ストラテジーのサブセットが少なくとも１つのＵＥ１１５との通信のために使用されるべきではないという指示を、少なくとも１つのＵＥ１１５から受信することに、少なくとも部分的に基づき得る。
【０２３６】
[0104]ブロック７２０で、基地局１０５は、選択された送信ストラテジーに基づいて、ダウンリンク送信のためのスケジューリング情報を送信し得る。ブロック７２５で、基地局１０５は、それぞれの送信ストラテジーに従って、非直交チャネルを介して、ＵＥ１１５の少なくともサブセットにダウンリンク送信を送信し得る。
【０２３７】
[0105]図８は、本開示の様々な態様による、ＵＥにおけるワイヤレス通信を管理するためのデバイス８０５のブロック図８００を示す。いくつかの例では、デバイス８０５は、図１、図２、図３、図４、図１０、および図１３に関して説明されるＵＥ１１５の１つまたは複数の態様のうちの態様の一例であり得る。デバイス８０５は、受信機８１０と、送信機８２０と、チャネルフィードバック決定構成要素８３０と、有効チャネルフィードバック決定構成要素８４０と、フィードバックレポータ８５０とを含み得る。デバイス８０５はまた、プロセッサ（図示せず）であるか、またはそれを含み得る。これらの構成要素の各々は、互いに通信し得る。
【０２３８】
[0106]受信機８１０は、パケット、ユーザデータ、ならびに／あるいは、様々な信号（たとえば、基準信号など）および／または情報チャネル（たとえば、制御チャネル、データチャネルなど）に関連付けられた制御情報など、情報を受信するように動作可能な少なくとも１つの無線周波数（ＲＦ）受信機を含み得る。受信機８１０は、複数のアンテナを有し、様々なアンテナポートに関連付けられた基準信号（たとえば、ＣＲＳ、ＣＳＩ−ＲＳ、ＵＥ−ＲＳなど）などの信号を受信することと、空間レイヤ間のチャネル利得および雑音共分散などのチャネル測定値８１５を取得することとを行うように構成され得る。受信機８１０は、チャネルフィードバック決定構成要素８３０にチャネル測定値８１５を渡し得る。
【０２３９】
[0107]チャネルフィードバック決定構成要素８３０は、チャネル測定値８１５を処理することと、非直交チャネルのためのサブバンドの複数のサブキャリアに対応する複数のチャネルフィードバック行列Ｍ８３５を決定することとを行うように構成され得る。チャネルフィードバック行列８３５の各々は、複数のサブキャリアのうちのサブキャリアのためのチャネル行列Ｈと雑音共分散行列ＲNNとに基づき得、タイプ
【０２４０】
【数７５】
0006337215.tif 000076
【０２４１】
のものであり得る。
【０２４２】
[0108]有効チャネルフィードバック決定構成要素８４０は、サブバンドのための１つまたは複数の有効チャネルフィードバック行列
【０２４３】
【数７６】
0006337215.tif 000077
【０２４４】
８４５を決定するように構成され得る。有効チャネルフィードバック行列
【０２４５】
【数７７】
0006337215.tif 000078
【０２４６】
８４５は、複数のチャネルフィードバック行列Ｍ８３５に基づき得る。有効チャネルフィードバック行列８４５の各々は、送信ストラテジーの対応するセットに関連付けられ得、ただし、送信ストラテジーの対応するセットの各々は、非直交チャネルのための複数の送信ストラテジーのうちの１つまたは複数の送信ストラテジーを含む。場合によっては、非直交チャネルのための複数の送信ストラテジーは、少なくとも１つのシングルユーザ送信ストラテジー（たとえば、ＳＵ−ＭＩＭＯ送信ストラテジー）と、少なくとも１つのマルチユーザ送信ストラテジー（たとえば、ＭＵ−ＭＩＭＯ送信ストラテジー）とを含み得る。いくつかの例では、複数の送信ストラテジーは、追加または代替として、非直交レイヤを含む少なくとも１つのマルチレイヤ送信ストラテジー（たとえば、ＮＯＭＡ送信ストラテジー）を含み得る。いくつかの例では、デバイス８０５は、受信機８１０を介して、基地局から複数の送信ストラテジーを識別する情報８２５を受信し得る。
【０２４７】
[0109]いくつかの実施形態では、有効チャネルフィードバック決定構成要素８４０は、非直交チャネルのための複数の送信ストラテジーを、送信ストラテジーの対応するセットに区分し得る。いくつかの例では、セットは独立セットであり得る。いくつかの例では、送信ストラテジーの対応するセットの各々は、同じプリコーディング行列を利用する送信ストラテジーを含み得、したがって、有効チャネルフィードバック行列８４５は、複数のプリコーディング行列の各々について決定され得る。
【０２４８】
[0110]フィードバックレポータ８５０は、複数の送信ストラテジーにわたるＵＥのためのチャネル品質推定のためのチャネルフィードバック情報８５５を報告するように構成され得る。チャネルフィードバック情報８５５は、１つまたは複数の有効チャネルフィードバック行列を表し得る。いくつかの実施形態では、所与の有効チャネルフィードバック行列のためのチャネルフィードバック情報８５５は、有効個別レイヤチャネル品質の少なくとも１つのインジケータ（たとえば、有効チャネルフィードバック行列
【０２４９】
【数７８】
0006337215.tif 000079
【０２５０】
８４５の対角成分
【０２５１】
【数７９】
0006337215.tif 000080
【０２５２】
および
【０２５３】
【数８０】
0006337215.tif 000081
【０２５４】
）と、有効組合せレイヤチャネル品質のインジケータ（たとえば、有効チャネルフィードバック行列
【０２５５】
【数８１】
0006337215.tif 000082
【０２５６】
８４５の非対角成分の絶対値の２乗
【０２５７】
【数８２】
0006337215.tif 000083
【０２５８】
）とを含み得る。いくつかの実施形態では、複数の送信ストラテジーは、２レイヤ非直交環境のための送信ストラテジーを含み得、有効個別レイヤチャネル品質の少なくとも１つのインジケータは、第１のレイヤのための有効シングルユーザチャネル品質（たとえば、
【０２５９】
【数８３】
0006337215.tif 000084
【０２６０】
）と、第２のレイヤのための有効シングルユーザチャネル品質（たとえば、
【０２６１】
【数８４】
0006337215.tif 000085
【０２６２】
）とを含み得る。いくつかの実施形態では、有効組合せレイヤチャネル品質のインジケータは、送信ストラテジーのサブセット（たとえば、ＳＵ−ＭＩＭＯ、ランク２、レイヤ間の等電力割振り）について評価されたチャネル品質関数（たとえば、ＳＮＲ式）のセットを使用して計算され得る。報告は、上記で説明されたように、周期的であり得、ランクおよび周期報告の関連付けによってインターレースされ得る。場合によっては、送信機８２０は、物理制御チャネル（たとえば、ＰＵＣＣＨなど）を介して、チャネルフィードバック情報８５５を送信し得る。
【０２６３】
[0111]送信機８２０は、上記で説明されたように、デバイス８０５の他の構成要素から受信された１つまたは複数の信号を送信するように動作可能な少なくとも１つのＲＦ送信機を含み得る。いくつかの例では、送信機８２０は、トランシーバにおいて受信機８１０とコロケートされ得る。
【０２６４】
[0112]図９は、本開示の様々な態様による、ＵＥにおけるワイヤレス通信のためのデバイス８０５−ａのブロック図９００を示す。デバイス８０５−ａは、図１、図２、図３、図４、図１０、および図１３に関して説明されるＵＥ１１５の１つまたは複数の態様の一例、ならびに／あるいは図８を参照しながら説明されたデバイス８０５の態様の一例であり得る。デバイス８０５−ａは、受信機８１０−ａと、送信機８２０−ａと、チャネルフィードバック決定構成要素８３０−ａと、有効チャネルフィードバック決定構成要素８４０−ａと、フィードバックレポータ８５０−ａとを含み得、これらは、デバイス８０５の対応する構成要素の例であり得る。デバイス８０５−ａはまた、チャネル品質誤差決定および報告構成要素９３５を含み得る。デバイス８０５−ａはまた、プロセッサ（図示せず）であるか、またはそれを含み得る。これらの構成要素の各々は、互いに通信し得る。受信機８１０−ａおよび送信機８２０−ａは、それぞれ、図８の受信機８１０および送信機８２０の機能を実行し得る。たとえば、受信機は、図８のチャネル測定値８１５であり得る、チャネル測定値８１５−ａを生成し得る。
【０２６５】
[0113]チャネル品質誤差決定および報告構成要素９３５は、送信ストラテジーのセットの各送信ストラテジーについて（または、送信ストラテジーの各セットの各送信ストラテジーについて）、有効チャネルフィードバック決定構成要素８４０−ａによって決定された対応する有効チャネルフィードバック行列８４５−ａから生じ得るチャネル品質誤差の量を決定するように構成され得る。チャネル品質誤差決定および報告構成要素９３５はまた、送信ストラテジーのためのチャネル品質誤差がしきい値よりも大きいか否かを決定し、送信ストラテジーのサブセットにおける各送信ストラテジーのためのチャネル品質誤差がしきい値よりも大きいと決定すると、その送信ストラテジーのサブセットがデバイス８０５−ａとの通信のために使用されるべきではないという指示９４０を（たとえば、送信機８２０−ａを介して）送信し得る。
【０２６６】
[0114]図８または図９に関して説明されたデバイス８０５の構成要素の機能は、全体的にまたは部分的に、１つまたは複数の汎用または特定用途向けプロセッサ（たとえば、ＣＰＵ、コアなど）によって実行されるようにフォーマットされた、メモリに組み込まれた命令を用いて実装され得る。たとえば、説明する構成要素は、１つまたは複数のプロセッサ上で実行するためにコンパイルされ得るか、あるいは１つまたは複数のプロセッサによってランタイムにおいて解釈され得る、１つまたは複数の機能、サブルーチン、クラス、モジュール、および／またはパッケージに組み込まれた命令を表し得る。追加または代替として、デバイス８０５の様々な構成要素は、当技術分野で知られている任意の様式でプログラム（たとえば、ハードウェア記述言語（ＨＤＬ）から構成、合成など）され得る、１つまたは複数の特定用途向け集積回路（ＡＳＩＣ）、フィールドプログラマブルゲートアレイ（ＦＰＧＡ）、および／あるいは他のセミカスタム構成要素または集積回路（ＩＣ）を使用して、ハードウェアで個々にまたはまとめて実装され得る。
【０２６７】
[0115]図１０は、本開示の様々な態様による、ＵＥ１１５−ｈのブロック図１０００を示す。いくつかの例では、ＵＥ１１５−ｈは、図１、図２、図３、図４、および図１３に関して説明されるＵＥ１１５のうちの１つまたは複数の態様、ならびに／あるいは図８および図９に関して説明されたデバイス８０５のうちの１つまたは複数の態様の一例であり得る。ＵＥ１１５−ｈは、図１〜図６に関して説明されたＵＥおよび／または装置の特徴および機能のうちの少なくともいくつかを実装または可能にするように構成され得る。
【０２６８】
[0116]ＵＥ１１５−ｈは、概して、通信を送信するための構成要素と通信を受信するための構成要素とを含む、双方向音声およびデータ通信のための構成要素を含み得る。ＵＥ１１５−ｈは、１つまたは複数のＵＥアンテナ１０４０と、１つまたは複数のＵＥトランシーバ１０３５と、ＵＥプロセッサ１００５と、（ソフトウェア（ＳＷ）／ファームウェアコード１０２０を含む）ＵＥメモリ１０１５とを含み得る。これらの構成要素の各々は、１つまたは複数のバス１０４５を介して、直接または間接的に、互いに通信し得る。ＵＥトランシーバ１０３５は、上記で説明されたように、１つまたは複数のネットワークと、ＵＥアンテナ１０４０および／または１つもしくは複数のワイヤードもしくはワイヤレスリンクを介して、双方向に通信するように構成され得る。たとえば、ＵＥトランシーバ１０３５は、図１、図２、図３、図４、図１２、および図１３に関して説明される基地局のうちの１つまたは複数、あるいは図８および図９に関して説明されたデバイス８０５のうちの１つまたは複数など、１つまたは複数の基地局または装置と双方向に通信するように構成され得る。ＵＥトランシーバ１０３５はまた、１つまたは複数の他のＵＥ１１５と双方向に通信するように構成され得る。ＵＥトランシーバ１０３５は、パケットを変調し、変調されたパケットを送信のためにＵＥアンテナ１０４０に与え、ＵＥアンテナ１０４０から受信されたパケットを復調するように構成されたモデムを含み得る。ＵＥ１１５−ｈは、複数のワイヤレス送信（たとえば、ＭＩＭＯ送信など）を同時に送信することおよび／または受信することが可能な複数のＵＥアンテナ１０４０を有し得る。ＵＥトランシーバ１０３５は、複数のコンポーネントキャリアを介して、１つまたは複数の基地局１０５と同時に通信することが可能であり得る。
【０２６９】
[0117]ＵＥ１１５−ｈは、チャネルフィードバック情報の報告に関係付けられた、図８および図９に関して上記で説明された特徴および／または機能の一部または全部を実行および／または制御するように構成され得る、チャネルフィードバック決定構成要素８３０−ｂと、有効チャネルフィードバック決定構成要素８４０−ｂと、フィードバックレポータ８５０−ｂとを含み得る。いくつかの例では、チャネルフィードバック決定構成要素８３０−ｂ、有効チャネルフィードバック決定構成要素８４０−ｂ、およびフィードバックレポータ８５０−ｂは、ソフトウェア／ファームウェアコード１０２０の一部であり得、本明細書で説明される様々な機能（たとえば、複数のチャネルフィードバック行列を決定すること、１つまたは複数の有効チャネルフィードバック行列を決定すること、チャネルフィードバック情報を報告することなど）をＵＥプロセッサ１００５に実行させるように構成される命令を含み得る。チャネルフィードバック決定構成要素８３０−ｂ、有効チャネルフィードバック決定構成要素８４０−ｂ、およびフィードバックレポータ８５０−ｂは、図８および図９に関して説明されたチャネルフィードバック決定構成要素８３０、有効チャネルフィードバック決定構成要素８４０、およびフィードバックレポータ８５０の例であり得る。
【０２７０】
[0118]ＵＥメモリ１０１５は、ランダムアクセスメモリ（ＲＡＭ）および／または読取り専用メモリ（ＲＯＭ）を含み得る。ＵＥメモリ１０１５は、実行されたとき、本明細書で説明される様々な機能をＵＥプロセッサ１００５に実行させるように構成される命令を含んでいる、コンピュータ可読、コンピュータ実行可能ソフトウェア／ファームウェアコード１０２０を記憶し得る。代替的に、コンピュータ可読、コンピュータ実行可能ソフトウェア／ファームウェアコード１０２０は、ＵＥプロセッサ１００５によって直接的に実行可能でないことがあり、（たとえば、コンパイルされ、実行されたとき）本明細書で説明される機能をコンピュータに実行させるように構成され得る。ＵＥプロセッサ１００５は、インテリジェントハードウェアデバイス、たとえば、中央処理ユニット（ＣＰＵ）、マイクロコントローラ、特定用途向け集積回路（ＡＳＩＣ）などを含み得る。
【０２７１】
[0119]図１１は、本開示の様々な態様による、基地局（たとえば、ｅＮＢの一部または全部を形成する基地局）におけるワイヤレス通信を管理するためのデバイス１１０５のブロック図１１００を示す。いくつかの例では、デバイス１１０５は、図１、図２、図３、図４、図１２、および図１３に関して説明される基地局１０５のうちの１つまたは複数の態様の一例であり得る。いくつかの例では、デバイス１１０５は、ＬＴＥ／ＬＴＥ−Ａ  ｅＮＢおよび／またはＬＴＥ／ＬＴＥ−Ａ基地局の一部であるか、またはそれを含み得る。デバイス１１０５は、受信機１１１０、送信機１１２０、チャネル品質推定器１１３０、非直交スケジューラ１１４０、および／またはダウンリンク送信マネージャ１１５０を含み得る。デバイス１１０５はまた、プロセッサ（図示せず）であるか、またはそれを含み得る。これらの構成要素の各々は、互いに通信し得る。
【０２７２】
[0120]受信機１１１０は、図１または図２に関して説明されたワイヤレス通信システム１００または２００などのワイヤレス通信システムの１つまたは複数の通信リンクを介して、様々なタイプのデータおよび／または制御信号（すなわち、送信）を受信するように動作可能な少なくとも１つのＲＦ受信機を含み得る。受信された信号は、１つまたは複数の非直交チャネルのための複数のＵＥから受信されたチャネルフィードバック情報１１１５を含み得る。各ＵＥからのチャネルフィードバック情報１１１５は、非直交チャネルの１つまたは複数のサブバンドの複数のサブキャリアのための１つまたは複数の有効チャネルフィードバック行列を表し得る。１つまたは複数の有効チャネルフィードバック行列の各々は、非直交チャネルのための複数の送信ストラテジーのうちの送信ストラテジーの対応するセットに関連付けられ得る。場合によっては、非直交チャネルのための複数の送信ストラテジーは、少なくとも１つのシングルユーザ送信ストラテジー（たとえば、ＳＵ−ＭＩＭＯ送信ストラテジー）と、少なくとも１つのマルチユーザ送信ストラテジー（たとえば、ＭＵ−ＭＩＭＯ送信ストラテジー）とを含み得る。いくつかの例では、複数の送信ストラテジーは、追加または代替として、非直交レイヤを含む少なくとも１つのマルチレイヤ送信ストラテジー（たとえば、ＮＯＭＡ送信ストラテジー）を含み得る。
【０２７３】
[0121]所与の有効チャネルフィードバック行列を表すチャネルフィードバック情報１１１５は、有効個別レイヤチャネル品質の少なくとも１つのインジケータ（たとえば、
【０２７４】
【数８５】
0006337215.tif 000086
【０２７５】
および
【０２７６】
【数８６】
0006337215.tif 000087
【０２７７】
）と、有効組合せレイヤチャネル品質のインジケータ（たとえば、
【０２７８】
【数８７】
0006337215.tif 000088
【０２７９】
）とを含み得る。場合によっては、複数の送信ストラテジーは、ランク２非直交環境のための送信ストラテジーを含み得、有効個別レイヤチャネル品質の少なくとも１つのインジケータは、第１のレイヤのための有効シングルユーザチャネル品質（たとえば、
【０２８０】
【数８８】
0006337215.tif 000089
【０２８１】
）と、第２のレイヤのための有効シングルユーザチャネル品質（たとえば、
【０２８２】
【数８９】
0006337215.tif 000090
【０２８３】
）とを含み得る。場合によっては、受信機１１１０は、物理制御チャネル（たとえば、ＰＵＣＣＨなど）を介して、チャネルフィードバック情報１１１５を受信し得る。
【０２８４】
[0122]チャネル品質推定器１１３０は、非直交チャネルを介したダウンリンク送信のために、複数のＵＥの少なくともサブセットのための、複数の送信ストラテジーのためのチャネル品質１１３５を推定し得る。チャネル品質１１３５は、チャネルフィードバック情報１１１５に少なくとも部分的に基づいて推定され得る。
【０２８５】
[0123]非直交スケジューラ１１４０は、推定されたチャネル品質１１３５に基づいて、ダウンリンク送信のためのそれぞれの送信ストラテジー１１４５を決定し得る。いくつかの実施形態では、複数のＵＥのためのそれぞれの送信ストラテジー１１４５を決定することは、非直交チャネルのリソースの同じセットのための複数のＵＥペアリングを決定することを含み得る。
【０２８６】
[0124]ダウンリンク送信マネージャ１１５０は、非直交スケジューラ１１４０によって決定された送信ストラテジー１１４５に従って、（たとえば、送信機１１２０を介した）１つまたは複数の非直交チャネルを介した、ＵＥへのダウンリンク送信１１５５を管理するために使用され得る。
【０２８７】
[0125]送信機１１２０は、図１または図２に関して説明されたワイヤレス通信システム１００または２００などのワイヤレス通信システムの１つまたは複数の通信リンクを介して、様々なタイプの基準信号、制御シグナリング、および／またはデータ送信を送信するように動作可能な少なくとも１つのＲＦ送信機を含み得る。いくつかの例では、送信機１１２０は、非直交スケジューラ１１４０によって決定された様々な送信ストラテジーに従って、ダウンリンク送信１１５５を送信するために使用され得る。
【０２８８】
[0126]図１２は、本開示の様々な態様による、基地局１０５−ｄ（たとえば、ｅＮＢの一部または全部を形成する基地局）のブロック図１２００を示す。いくつかの例では、基地局１０５−ｄは、図１、図２、図３、図４、および図１３に関して説明される基地局１０５のうちの１つまたは複数の態様、ならびに／あるいは図１１に関して説明されたデバイス１１０５の態様の一例であり得る。基地局１０５−ｄは、図１〜図５、および図７に関して説明された基地局および／または装置の特徴および機能のうちの少なくともいくつかを実装または可能にするように構成され得る。
【０２８９】
[0127]基地局１０５−ｄは、基地局プロセッサ１２１０と、（ソフトウェア（ＳＷ）／ファームウェア１２２５を含む）基地局メモリ１２２０と、１つまたは複数の基地局トランシーバ１２５０と、１つまたは複数の基地局アンテナ１２５５とを含み得る。基地局１０５−ｄはまた、基地局通信マネージャ１２３０および／またはネットワーク通信マネージャ１２４０のうちの１つまたは複数を含み得る。これらの構成要素の各々は、１つまたは複数のバス１２３５を介して、直接または間接的に、互いに通信し得る。
【０２９０】
[0128]基地局１０５−ｄはまた、複数の送信ストラテジーのためのチャネル品質を推定することと、ダウンリンク送信のためのそれぞれの送信ストラテジーを決定することと、１つまたは複数の非直交チャネルを介した複数のＵＥへのダウンリンク送信を管理することとに関係付けられた、図１０に関して上記で説明された特徴および／または機能の一部または全部を実行および／または制御するように構成され得る、チャネル品質推定器１１３０−ａと、非直交スケジューラ１１４０−ａと、ダウンリンク送信マネージャ１１５０−ａとを含み得る。いくつかの例では、チャネル品質推定器１１３０−ａ、非直交スケジューラ１１４０−ａ、およびダウンリンク送信マネージャ１１５０−ａは、ソフトウェア／ファームウェアコード１２２５の一部であり得、本明細書で説明される様々な機能を基地局プロセッサ１２１０に実行させるように構成される命令を含み得る。チャネル品質推定器１１３０−ａ、非直交スケジューラ１１４０−ａ、およびダウンリンク送信マネージャ１１５０−ａは、図１１に関して説明されたチャネル品質推定器１１３０、非直交スケジューラ１１４０、およびダウンリンク送信マネージャ１１５０の例であり得る。
【０２９１】
[0129]基地局メモリ１２２０は、ＲＡＭおよび／またはＲＯＭを含み得る。基地局メモリ１２２０は、実行されたとき、本明細書で説明される様々な機能を基地局プロセッサ１２１０に実行させるように構成される命令を含んでいる、コンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、基地局プロセッサ１２１０によって直接的に実行可能でないことがあり、（たとえば、コンパイルされ、実行されたとき）本明細書で説明される機能のうちのいくつかを基地局１０５−ｄに実行させるように構成され得る。
【０２９２】
[0130]基地局プロセッサ１２１０は、インテリジェントハードウェアデバイス、たとえば、ＣＰＵ、マイクロコントローラ、ＡＳＩＣなどを含み得る。基地局プロセッサ１２１０は、基地局トランシーバ１２５０、基地局通信マネージャ１２３０、および／またはネットワーク通信マネージャ１２４０を通して受信された情報を処理し得る。基地局プロセッサ１２１０はまた、基地局アンテナ１２５５を通した送信のためにトランシーバ１２５０に送られるべき情報、１つまたは複数の他の基地局１０５−ｅおよび１０５−ｆへの送信のために基地局通信マネージャ１２３０に送られるべき情報、ならびに／または図１に関して説明されたコアネットワーク１３０の１つまたは複数の態様の一例であり得る、コアネットワーク１２４５への送信のためにネットワーク通信マネージャ１２４０に送られるべき情報を処理し得る。
【０２９３】
[0131]基地局トランシーバ１２５０は、パケットを変調し、変調されたパケットを送信のために基地局アンテナ１２５５に与え、基地局アンテナ１２５５から受信されたパケットを復調するように構成されたモデムを含み得る。基地局トランシーバ１２５０は、いくつかの例では、１つまたは複数の基地局送信機および１つまたは複数の別個の基地局受信機として実装され得る。基地局トランシーバ１２５０は、図１、図２、図３、図４、図１０、および図１３に関して説明されるＵＥ１１５のうちの１つまたは複数、あるいは図８および図９に関して説明されたデバイス８０５のうちの１つまたは複数など、１つまたは複数のＵＥまたは装置と、基地局アンテナ１２５５を介して双方向に通信するように構成され得る。基地局１０５−ｄは、たとえば、複数の基地局アンテナ１２５５（たとえば、アンテナアレイ）を含み得る。基地局１０５−ｄは、ネットワーク通信マネージャ１２４０を通してコアネットワーク１２４５と通信し得る。基地局１０５−ｄはまた、基地局通信マネージャ１２３０を使用して、基地局１０５−ｅおよび１０５−ｆなど、他の基地局と通信し得る。
【０２９４】
[0132]図１３は、本開示の様々な態様による、基地局１０５−ｇとＵＥ１１５−ｊとを含む、非直交通信システム１３００のブロック図である。非直交通信システム１３００は、図１または図２に示されているワイヤレス通信システム１００または２００の態様を示し得る。基地局１０５−ｇは、アンテナ１３３４−ａ〜１３３４−ｘを備え得、ＵＥ１１５−ｊは、アンテナ１３５２−ａ〜１３５２−ｎを備え得る。非直交通信システム１３００では、基地局１０５−ｇは、同時に複数の通信リンクを介してデータを送ることが可能であり得る。各通信リンクは、「レイヤ」と呼ばれることがあり、通信リンクの「ランク」は、通信のために使用されるレイヤの数を示し得る。たとえば、基地局１０５−ｇが２つの「レイヤ」を送信する通信では、基地局１０５−ｇとＵＥ１１５−ｊとの間の通信リンクのランクは２である。
【０２９５】
[0133]基地局１０５−ｇにおいて、送信プロセッサ１３２０がデータソースからデータを受信し得る。送信プロセッサ１３２０は、データを処理し得る。送信プロセッサ１３２０はまた、制御シンボルおよび／または基準シンボルを生成し得る。送信（ＴＸ）ＭＩＭＯプロセッサ１３３０は、適用可能な場合、データシンボル、制御シンボル、および／または基準シンボルに対して空間処理（たとえば、プリコーディング）を実行し得、送信変調器１３３２−ａ〜１３３２−ｘに出力シンボルストリームを与え得る。各変調器１３３２は、出力サンプルストリームを取得するために、（たとえば、ＯＦＤＭなどのために）それぞれの出力シンボルストリームを処理し得る。各変調器１３３２は、ＤＬ信号を取得するために、出力サンプルストリームをさらに処理（たとえば、アナログへの変換、増幅、フィルタ処理、およびアップコンバート）し得る。一例では、変調器１３３２−ａ〜１３３２−ｘからのＤＬ信号は、それぞれアンテナ１３３４−ａ〜１３３４−ｘを介して送信され得る。
【０２９６】
[0134]ＵＥ１１５−ｊにおいて、ＵＥアンテナ１３５２−ａ〜１３５２−ｎは、基地局１０５−ｄからＤＬ信号を受信し得、それぞれ復調器１３５４−ａ〜１３５４−ｎに受信信号を与え得る。各復調器１３５４は、入力サンプルを取得するために、それぞれの受信信号を調整（たとえば、フィルタ処理、増幅、ダウンコンバート、およびデジタル化）し得る。各復調器１３５４は、受信されたシンボルを取得するために、（たとえば、ＯＦＤＭなどのために）入力サンプルをさらに処理し得る。ＭＩＭＯ検出器１３５６は、受信されたシンボルをすべての復調器１３５４−ａ〜１３５４−ｎから取得し、適用可能な場合、受信されたシンボルに対してＭＩＭＯ検出を実行し、検出されたシンボルを与え得る。受信プロセッサ１３５８は、検出されたシンボルを処理（たとえば、復調、デインターリーブ、および復号）し、データ出力にＵＥ１１５−ｂのための復号されたデータを与え、プロセッサ１３８０、またはメモリ１３８２に復号された制御情報を与え得る。
【０２９７】
[0135]プロセッサ１３８０は、場合によっては、有効チャネル生成器１３８５のうちの１つまたは複数をインスタンス化するための記憶された命令を実行し得る。有効チャネル生成器１３８５は、複数のチャネルフィードバック行列を決定すること、１つまたは複数の有効チャネルフィードバック行列を決定すること、あるいはチャネルフィードバック情報を報告することに関係付けられた、図８、図９、または図１０のモジュールの機能を実行し得る。有効チャネル生成器１３８５は、図８〜図１０に関して説明されたチャネルフィードバック決定構成要素８３０、有効チャネルフィードバック決定構成要素８４０、およびフィードバックレポータ８５０の態様の一例であり得る。
【０２９８】
[0136]アップリンク（ＵＬ）上で、ＵＥ１１５−ｊにおいて、送信プロセッサ１３６４は、データソースからデータを受信し、処理し得る。送信プロセッサ１３６４はまた、基準信号のための基準シンボルを生成し得る。送信プロセッサ１３６４からのシンボルは、適用可能な場合、送信ＭＩＭＯプロセッサ１３６６によってプリコードされ、復調器１３５４−ａ〜１３５４−ｎによって（たとえば、ＳＣ−ＦＤＭＡなどのために）さらに処理され、基地局１０５−ｇから受信された送信パラメータに従って基地局１０５−ｇに送信され得る。基地局１０５−ｇにおいて、ＵＥ１１５−ｊからのＵＬ信号がアンテナ１３３４によって受信され、変調器１３３２によって処理され、適用可能な場合、ＭＩＭＯ検出器１３３６によって検出され、受信プロセッサ１３３８によってさらに処理され得る。受信プロセッサ１３３８は、データ出力とプロセッサ１３４０および／またはメモリ１３４２とに、復号されたデータを与え得る。プロセッサ１３４０は、場合によっては、複数の送信ストラテジーのためのチャネル品質を推定することと、ダウンリンク送信のためのそれぞれの送信ストラテジーを決定することと、１つまたは複数の非直交チャネルを介した複数のＵＥへのダウンリンク送信を管理することとに関係付けられた、上記で説明された機能を実行するように構成され得る、非直交チャネルスケジューラ１３４５をインスタンス化するための記憶された命令を実行し得る。非直交チャネルスケジューラ１３４５は、図１１および図１２に関して説明されたチャネル品質推定器１１３０、非直交スケジューラ１１４０、およびダウンリンク送信マネージャ１１５０の態様の一例であり得る。
【０２９９】
[0137]ＵＥ１１５−ｊの構成要素は、適用可能な機能の一部または全部をハードウェアで実行するように適応された１つまたは複数のＡＳＩＣを用いて、個々にまたはまとめて実装され得る。言及されたモジュールの各々は、非直交通信システム１３００の動作に関係付けられた１つまたは複数の機能を実行するための手段であり得る。同様に、基地局１０５−ｇの構成要素は、適用可能な機能の一部または全部をハードウェアで実行するように適応された１つまたは複数のＡＳＩＣを用いて、個々にまたはまとめて実装され得る。言及された構成要素の各々は、非直交通信システム１３００の動作に関係付けられた１つまたは複数の機能を実行するための手段であり得る。
【０３００】
[0138]本開示で説明されたチャネルフィードバック技法のいくつかの例が、２×２非直交システムとの関連で説明されたが、本技法は、より一般的にはＮ×Ｎ非直交システムに適用され得る。
【０３０１】
[0139]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０３０２】
[0140]添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明される技法の理解を与えるための具体的な詳細を含む。ただし、これらの技法は、これらの具体的な詳細なしに実践され得る。いくつかの事例では、説明される例の概念を不明瞭にすることを回避するために、よく知られている構造および装置はブロック図の形態で示されている。
【０３０３】
[0141]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０３０４】
[0142]本明細書の開示に関して説明される様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０３０５】
[0143]本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０３０６】
[0144]コンピュータ可読媒体は、コンピュータプログラムのある場所から別の場所への転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータ、または汎用プロセッサもしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
以下に本願の出願当初の特許請求の範囲に記載された発明を付記する。
［Ｃ１］
ユーザ機器（ＵＥ）におけるワイヤレス通信のための方法であって、
非直交チャネルのためのサブバンドの複数のサブキャリアに対応するサブキャリアチャネル情報を決定することと、
前記サブキャリアチャネル情報に基づいて、前記サブバンドのための１つまたは複数の有効チャネルフィードバック行列を決定することと、ここにおいて、前記１つまたは複数の有効チャネルフィードバック行列が、送信ストラテジーの対応するセットに関連付けられ、ここにおいて、前記送信ストラテジーの対応するセットの各々が、前記非直交チャネルのための複数の送信ストラテジーのうちの１つまたは複数の送信ストラテジーを含む、
前記複数の送信ストラテジーにわたる前記ＵＥのためのチャネル品質推定のためのチャネルフィードバック情報を報告することと、前記チャネルフィードバック情報が、前記１つまたは複数の有効チャネルフィードバック行列を表す
を備える、方法。
［Ｃ２］
前記１つまたは複数の有効チャネルフィードバック行列を決定することが、
前記１つまたは複数の有効チャネルフィードバック行列の各々のためのチャネル品質関数のセットを識別すること
を備える、Ｃ１に記載の方法。
［Ｃ３］
前記チャネル品質関数のセットを識別することが、前記１つまたは複数の有効チャネルフィードバック行列の前記各々のための前記送信ストラテジーの対応するセットに少なくとも部分的に基づく、Ｃ２に記載の方法。
［Ｃ４］
前記チャネル品質関数のセットを前記識別することが、
前記送信ストラテジーの対応するセットにわたる最大容量誤差、または前記送信ストラテジーの対応するセットにわたる平均容量誤差のうちの少なくとも１つを最適化するように、前記チャネル品質関数のセットを選択すること
を備える、Ｃ３に記載の方法。
［Ｃ５］
前記チャネル品質関数のセットを選択することが、前記送信ストラテジーの対応するセットのうちの送信ストラテジーの選択の可能性に少なくとも部分的に基づく、Ｃ４に記載の方法。
［Ｃ６］
前記複数の送信ストラテジーが、それぞれのプリコーディング行列に従って、前記送信ストラテジーの対応するセットのためにグループ化される、Ｃ１に記載の方法。
［Ｃ７］
前記複数の送信ストラテジーのサブセットが前記ＵＥとの通信のために使用されるべきではないという指示を送信すること
をさらに備える、Ｃ１に記載の方法。
［Ｃ８］
前記送信ストラテジーの対応するセットの各送信ストラテジーについて、前記１つまたは複数の有効チャネルフィードバック行列のうちの対応するものから生じるチャネル品質誤差の量を決定することと、
前記送信ストラテジーのサブセットにおける各送信ストラテジーのための前記チャネル品質誤差の量が、しきい値よりも大きいと決定することと
をさらに備える、Ｃ７に記載の方法。
［Ｃ９］
前記サブキャリアチャネル情報が、前記複数のサブキャリアのうちのサブキャリアのためのチャネル行列と雑音共分散行列とに基づいて決定される、Ｃ１に記載の方法。
［Ｃ１０］
前記複数の送信ストラテジーが、少なくとも１つのシングルユーザ送信ストラテジーと、少なくとも１つのマルチユーザ送信ストラテジーとを備える、Ｃ１に記載の方法。
［Ｃ１１］
前記複数の送信ストラテジーが、非直交レイヤを備える少なくとも１つのマルチレイヤ送信ストラテジーを備える、Ｃ１に記載の方法。
［Ｃ１２］
基地局におけるワイヤレス通信のための方法であって、
非直交チャネルのための複数のユーザ機器（ＵＥ）からのチャネルフィードバック情報を受信することと、ここにおいて、各ＵＥからの前記チャネルフィードバック情報が、１つまたは複数のサブバンドの複数のサブキャリアのための１つまたは複数の有効チャネルフィードバック行列を表すフィードバックを備え、ここにおいて、前記１つまたは複数の有効チャネルフィードバック行列が、前記非直交チャネルのための複数の送信ストラテジーのうちの送信ストラテジーの１つまたは複数のセットに対応する、
前記チャネルフィードバック情報に少なくとも部分的に基づいて、前記非直交チャネルを介したダウンリンク送信のために、前記複数のＵＥの少なくともサブセットのための、前記複数の送信ストラテジーのためのチャネル品質を推定することと、
前記推定されたチャネル品質に基づいて、前記ダウンリンク送信のためのそれぞれの送信ストラテジーを決定することと、
前記それぞれの送信ストラテジーに従って、前記非直交チャネルを介して、前記複数のＵＥの前記少なくとも前記サブセットにダウンリンク送信を送信することと
を備える、方法。
［Ｃ１３］
前記複数のＵＥのための前記それぞれの送信ストラテジーを前記決定することが、
前記非直交チャネルのリソースの同じセットのための複数のＵＥペアリングを決定すること
を備える、Ｃ１２に記載の方法。
［Ｃ１４］
前記複数の送信ストラテジーを、前記送信ストラテジーの１つまたは複数のセットに区分することと、
前記複数のＵＥに、前記送信ストラテジーの１つまたは複数のセットの指示を送信することと、ここにおいて、前記指示が、前記チャネルフィードバック情報を受信するより前に送信される
をさらに備える、Ｃ１２に記載の方法。
［Ｃ１５］
前記複数の送信ストラテジーが、少なくとも１つのシングルユーザ送信ストラテジーと、少なくとも１つのマルチユーザ送信ストラテジーとを備える、Ｃ１２に記載の方法。
［Ｃ１６］
前記複数の送信ストラテジーが、非直交レイヤを備える少なくとも１つのマルチレイヤ送信ストラテジーを備える、Ｃ１２に記載の方法。
［Ｃ１７］
ユーザ機器（ＵＥ）におけるワイヤレス通信のための装置であって、
非直交チャネルのためのサブバンドの複数のサブキャリアに対応するサブキャリアチャネル情報を決定するための手段と、
前記サブキャリアチャネル情報に基づいて、前記サブバンドのための１つまたは複数の有効チャネルフィードバック行列を決定するための手段と、ここにおいて、前記１つまたは複数の有効チャネルフィードバック行列が、送信ストラテジーの対応するセットに関連付けられ、ここにおいて、前記送信ストラテジーの対応するセットの各々が、前記非直交チャネルのための複数の送信ストラテジーのうちの１つまたは複数の送信ストラテジーを含む、
前記複数の送信ストラテジーにわたる前記ＵＥのためのチャネル品質推定のためのチャネルフィードバック情報を報告するための手段と、前記チャネルフィードバック情報が、前記１つまたは複数の有効チャネルフィードバック行列を表す
を備える、装置。
［Ｃ１８］
前記１つまたは複数の有効チャネルフィードバック行列の各々のためのチャネル品質関数のセットを識別するための手段
をさらに備える、Ｃ１７に記載の装置。
［Ｃ１９］
前記識別するための手段が、前記チャネル品質関数のセットベースの、少なくとも部分的に、前記１つまたは複数の有効チャネルフィードバック行列の各々のための前記送信ストラテジーの対応するセットを識別する、Ｃ１８に記載の装置。
［Ｃ２０］
前記送信ストラテジーの対応するセットにわたる最大容量誤差、または前記送信ストラテジーの対応するセットにわたる平均容量誤差のうちの少なくとも１つを最適化するように、前記チャネル品質関数のセットを選択するための手段
をさらに備える、Ｃ１９に記載の装置。
［Ｃ２１］
前記選択するための手段が、前記送信ストラテジーの対応するセットのうちの送信ストラテジーの選択の可能性に少なくとも部分的に基づいて、前記チャネル品質関数のセットを選択する、Ｃ２０に記載の装置。
［Ｃ２２］
前記複数の送信ストラテジーが、それぞれのプリコーディング行列に従って、前記送信ストラテジーの対応するセットのためにグループ化される、Ｃ１７に記載の装置。
［Ｃ２３］
前記複数の送信ストラテジーのサブセットが前記ＵＥとの通信のために使用されるべきではないという指示を送信するための手段
をさらに備える、Ｃ１７に記載の装置。
［Ｃ２４］
前記送信ストラテジーの対応するセットの各送信ストラテジーについて、前記１つまたは複数の有効チャネルフィードバック行列のうちの対応するものから生じるチャネル品質誤差の量を決定するための手段と、
前記送信ストラテジーのサブセットにおける各送信ストラテジーのための前記チャネル品質誤差の量が、しきい値よりも大きいと決定するための手段と
をさらに備える、Ｃ２３に記載の装置。
［Ｃ２５］
前記サブキャリアチャネル情報が、前記複数のサブキャリアのうちのサブキャリアのためのチャネル行列と雑音共分散行列とに基づいて決定される、Ｃ１７に記載の装置。
［Ｃ２６］
前記複数の送信ストラテジーが、少なくとも１つのシングルユーザ送信ストラテジーと、少なくとも１つのマルチユーザ送信ストラテジーとを備える、Ｃ１７に記載の装置。
［Ｃ２７］
前記複数の送信ストラテジーが、非直交レイヤを備える少なくとも１つのマルチレイヤ送信ストラテジーを備える、Ｃ１７に記載の装置。
［Ｃ２８］
基地局におけるワイヤレス通信のための装置であって、
非直交チャネルのための複数のユーザ機器（ＵＥ）からのチャネルフィードバック情報を受信するための手段と、ここにおいて、各ＵＥからの前記チャネルフィードバック情報が、１つまたは複数のサブバンドの複数のサブキャリアのための１つまたは複数の有効チャネルフィードバック行列を表すフィードバックを備え、ここにおいて、前記１つまたは複数の有効チャネルフィードバック行列の各々が、前記非直交チャネルのための複数の送信ストラテジーのうちの送信ストラテジーの１つまたは複数のセットに対応する、
前記チャネルフィードバック情報に少なくとも部分的に基づいて、前記非直交チャネルを介したダウンリンク送信のために、前記複数のＵＥの少なくともサブセットのための、前記複数の送信ストラテジーのためのチャネル品質を推定するための手段と、
前記推定されたチャネル品質に基づいて、前記ダウンリンク送信のためのそれぞれの送信ストラテジーを決定するための手段と、
前記それぞれの送信ストラテジーに従って、前記非直交チャネルを介して、前記複数のＵＥの前記少なくとも前記サブセットにダウンリンク送信を送信するための手段と
を備える、装置。
［Ｃ２９］
前記複数のＵＥのための前記それぞれの送信ストラテジーを決定するための前記手段が、
前記非直交チャネルのリソースの同じセットのための複数のＵＥペアリングを決定するための手段
を備える、Ｃ２８に記載の装置。
［Ｃ３０］
前記複数の送信ストラテジーを、前記送信ストラテジーの１つまたは複数のセットに区分するための手段と、
前記複数のＵＥに、前記送信ストラテジーの１つまたは複数のセットの指示を送信するための手段と、ここにおいて、前記指示が、前記チャネルフィードバック情報を受信するより前に送信される
をさらに備える、Ｃ２８に記載の装置。
【図１】
0006337215.tif 000091
【図２】
0006337215.tif 000092
【図３】
0006337215.tif 000093
【図４】
0006337215.tif 000094
【図５】
0006337215.tif 000095
【図６】
0006337215.tif 000096
【図７】
0006337215.tif 000097
【図８】
0006337215.tif 000098
【図９】
0006337215.tif 000099
【図１０】
0006337215.tif 000100
【図１１】
0006337215.tif 000101
【図１２】
0006337215.tif 000102
【図１３】
0006337215.tif 000103